(57)【要約】  【課題】  アプリケーションファイルの終了に伴い、内容の承認、確定、記録という操作にもセキュリティ設定を施した住宅利用支援システムを提供する。  【解決手段】  住宅２００に装備された諸機能の利用を支援する住宅利用支援アプリケーション１２０で利用される個々の住宅利用支援アプリケーションファイル１３０には、住宅利用支援アプリケーション１２０で開くためのオープン暗証コードと、開いた状態の住宅利用支援アプリケーションファイル１３０を正常終了して閉じるためのクローズ暗証コードが設定されている。住宅利用支援システム１００として、オープン暗証コードの入力を受けて住宅利用支援アプリケーションファイル１３０を開くアプリケーションファイル開錠機能と、クローズ暗証コードの入力を受けて、開いている状態の住宅利用支援アプリケーションファイル１３０を正常終了して閉じるアプリケーションファイル閉錠機能が装備されている。【選択図】  図１
2020049749.tif 000002
【特許請求の範囲】
【請求項１】
住宅に装備された諸機能の利用を支援する住宅利用支援アプリケーションと、
前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは前記住宅利用支援アプリケーションデータ管理単位を開くためのオープン暗証コードと、前記住宅利用支援アプリケーションで開いた前記住宅利用支援アプリケーションファイルまたは前記住宅利用支援アプリケーションデータ管理単位を正常終了して閉じるためのクローズ暗証コードが設定された住宅利用支援アプリケーションファイルまたは住宅利用支援アプリケーションデータ管理単位と、
利用者からのコード入力手段を介した前記オープン暗証コードの入力を受けて前記住宅利用支援アプリケーションファイルまたは前記住宅利用支援アプリケーションデータ管理単位を開くアプリケーションファイル開錠機能と、
前記利用者からの前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠機能を備えたことを特徴とする住宅利用支援システム。
【請求項２】
前記住宅利用支援アプリケーションが、
前記住宅に装備された前記諸機能に指示を与える住宅諸機能制御機能と、
前記住宅の利用に際して生じる利用ログデータを、前記住宅単位または前記住宅の利用者単位に分類、または未分類のまま収集する利用ログデータ収集機能と、
前記住宅利用支援アプリケーションファイルまたは前記住宅利用支援アプリケーションデータ管理単位に対して前記利用ログデータ収集機能により収集したデータの入出力を行うデータ入出力機能を備えたことを特徴とした請求項１に記載の住宅利用支援システム。
【請求項３】
前記クローズ暗証コードの入力を受けて、前記アプリケーションファイル閉錠機能が、前記住宅利用支援アプリケーションファイルまたは前記住宅利用支援アプリケーションデータ管理単位に前記利用ログデータ収集機能により収集した前記利用ログデータを確定して格納し、正常終了して閉じることを特徴とする請求項１または２に記載の住宅利用支援システム。
【請求項４】
前記住宅に装備された諸機能が、コンピュータ制御が可能な機能であり、ドアロック開閉機能、防犯セキュリティ管理機能、動植物管理機能、車庫管理機能、宅配ボックス管理機能、蓄電装置管理機能、食料貯蔵庫管理機能、ガス電気水道管理機能、安否確認機能、バスユニット管理機能、トイレ付設健康管理機能、コンシェルジュ機能、人工知能アシスタント機能、照明空調システム制御機能、オーディオビジュアル機器制御機能、課金処理機能、各種センサによるセンシングデータ収集機能のいずれかまたはそれらの組み合わせを含むものである請求項１から３のいずれかに記載の住宅利用支援システム。
【請求項５】
前記住宅に装備された前記諸機能のうち、常時稼働しているもの、利用者の外出時に稼働するもの、前記利用者の居住時に稼働するものがあり、稼働中に前記利用ログデータ収集機能により収集した前記利用ログデータが前記住宅利用支援アプリケーションファイルまたは前記住宅利用支援アプリケーションデータ管理単位に格納されることを特徴とする請求項４に記載の住宅利用支援システム。
【請求項６】
前記住宅に装備された前記諸機能のうち、前記常時稼働にかかるものが前記蓄電装置管理機能、前記食料貯蔵管理機能、前記ガス電気水道管理機能、前記安否確認管理機能、各種センサによるセンシングデータ収集機能のいずれかまたはそれらの組み合わせを含むものであり、
前記住宅に装備された前記諸機能のうち、前記利用者の外出時に稼働するものが、ドアロック開閉機能、防犯セキュリティ管理機能、車庫管理機能、前記宅配ボックス管理機能のいずれかまたはそれらの組み合わせを含むものであり、
前記住宅に装備された前記諸機能のうち、前記利用者の居住時に稼働するものが、前記バスユニット管理機能、前記トイレ付設健康管理機能、前記コンシェルジュ機能、前記人工知能アシスタント機能、前記照明空調システム制御機能、前記オーディオビジュアル機器制御機能、前記課金処理機能のいずれかまたはそれらの組み合わせを含むものであることを特徴とする請求項５に記載の住宅利用支援システム。
【請求項７】
前記住宅利用支援アプリケーションファイルまたは前記住宅利用支援アプリケーションデータ管理単位が、居住時用のものと、外出時用のものがあり、
前記居住時用の住宅利用支援アプリケーションファイルまたは前記居住時用の住宅利用支援アプリケーションデータ管理単位の前記オープン暗証コードが、前記外出時用の住宅利用支援アプリケーションファイルまたは前記外出時用の住宅利用支援アプリケーションデータ管理単位のクローズ暗証コードであり、
前記居住時用の住宅利用支援アプリケーションファイルまたは前記居住時用の住宅利用支援アプリケーションデータ管理単位の前記クローズ暗証コードが、前記外出時用の住宅利用支援アプリケーションファイルまたは前記外出時用の住宅利用支援アプリケーションデータ管理単位のオープン暗証コードであり、
前記オープン暗証コードの入力により、居住時用に稼働する前記住宅利用支援アプリケーションファイルまたは前記住宅利用支援アプリケーションデータ管理単位が開き、前記外出時用の住宅利用支援アプリケーションファイルまたは前記外出時用の住宅利用支援アプリケーションデータ管理単位が正常終了して閉じることにより、稼働するものが入れ替わり、
前記クローズ暗証コードの入力により、居住時用に稼働する前記住宅利用支援アプリケーションファイルまたは前記住宅利用支援アプリケーションデータ管理単位が正常終了し、前記外出時用の住宅利用支援アプリケーションファイルまたは前記外出時用の住宅利用支援アプリケーションデータ管理単位が開くことにより、稼働するものが入れ替わることを特徴とする請求項５または６に記載の住宅利用支援システム。
【請求項８】
前記バスユニット管理機能、前記トイレ付設健康管理機能、前記コンシェルジュ機能、前記課金処理機能は、使用に際して、前記利用者を特定するＩＤ情報を入力することで前記利用者と当該機能が紐づいて稼働するものであることを特徴とする請求項５に記載の住宅利用支援システム。
【請求項９】
前記住宅の前記利用者が複数人いる場合、前記住宅利用支援アプリケーションファイルまたは前記住宅利用支援アプリケーションデータ管理単位が、前記住宅共用のものと、各々の前記利用者ごとのものがあり、前記住宅共用の前記利用ログデータ、各々の前記利用者ごとの前記利用ログデータがそれぞれ蓄積されるものであることを特徴とする請求項８に記載の住宅利用支援システム。
【請求項１０】
前記住宅諸機能制御機能が、前記住宅利用支援アプリケーションファイルまたは前記住宅利用支援アプリケーションデータ管理単位に入力されているデータに従って前記住宅諸機能の稼働状態をカスタマイズ設定できることを特徴とする請求項２に記載の住宅利用支援システム。
【請求項１１】
前記住宅のドアの開閉において、前記ドアの外側から施錠するものが前記クローズ暗証コードと対応し、前記ドアの外側から開錠するものが前記オープン暗証コードと対応し、前記ドアの内側から施錠するものは前記クローズ暗証コードとは対応せず、前記ドアの内側から開錠するものが前記オープン暗証コードと対応とは対応しないものであることを特徴とする請求項１から１０のいずれかに記載の住宅利用支援システム。
【請求項１２】
前記オープン暗証コードおよび前記クローズ暗証コードに加え、一時外出暗証コードおよび一時外出解除暗証コードが設けられており、
前記住宅利用支援アプリケーションがアプリケーションファイル一時外出−解除機能を備え、
前記住宅のドアの開閉において、前記一時外出暗証コードが入力された場合、前記アプリケーションファイル一時外出−解除機能が、前記住宅諸機能制御機能を介して、前記住宅に装備された前記諸機能のうち、前記常時稼働しているものおよび前記利用者の居住時に稼働していたものはそのまま維持し、前記利用者の外出時に稼働するものは稼働状態に切り替える運用とし、
前記一時外出解除暗証コードが入力された場合、前記アプリケーションファイル一時外出−解除機能が、前記住宅に装備された前記諸機能のうち、前記常時稼働しているものおよび前記利用者の居住時に稼働していたものはそのまま維持し、前記利用者の外出時に稼働するよう前記稼働状態に切り替えられたものはオフ状態とすることを特徴とする請求項４から９のいずれかに記載の住宅利用支援システム。
【請求項１３】
前記オープン暗証コードおよび前記クローズ暗証コードに加え、一時外出暗証コードおよび一時外出解除暗証コードが設けられており、
前記住宅利用支援アプリケーションがアプリケーションファイル一時外出−解除機能を備え、
前記住宅のドアの開閉において、前記一時外出暗証コードが入力された場合、前記アプリケーションファイル一時外出−解除機能が、前記住宅諸機能制御機能を介して、前記ドアロック開閉機能のみの稼働状態を変更するが、その他の前記諸機能の稼働状態を変更しない運用とすることを特徴とする請求項４から９のいずれかに記載の住宅利用支援システム。
【請求項１４】
前記住宅利用支援アプリケーション、および、前記住宅利用支援アプリケーションファイルまたは前記住宅利用支援アプリケーションデータ管理単位が、前記住宅内のコンピュータリソースに設けられており、前記コード入力手段が前記住宅の一部で外部からアクセス可能な箇所または前記利用者が保持する通信機能付き機器に設けられた構成であり、
前記利用者が外部から前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記住宅の前記諸機能への制御を開始させることを特徴とする請求項１から１３のいずれかに記載の住宅利用支援システム。
【請求項１５】
前記住宅利用支援アプリケーション、および、前記住宅利用支援アプリケーションファイルまたは前記住宅利用支援アプリケーションデータ管理単位が、前記住宅外のコンピュータリソースに設けられており、前記コード入力手段が前記住宅の一部で外部からアクセス可能な箇所または前記利用者が保持する通信機能付き機器に設けられた構成であり、それぞれがネットワークを介して前記住宅内の前記諸機能を制御できる構成であり、
前記利用者が外部から前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記住宅の前記諸機能への制御を開始させることを特徴とする請求項１から１３のいずれかに記載の住宅利用支援システム。
【請求項１６】
前記住宅利用支援アプリケーション、前記住宅利用支援アプリケーションファイルまたは前記住宅利用支援アプリケーションデータ管理単位、および、前記コード入力手段が前記利用者が保持する通信機能付き機器に設けられ、前記住宅内のコンピュータリソースに前記通信機能付き機器から送信された信号を受信する受信装置が装備された構成であり、
前記利用者が前記通信機能付き機器の前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記受信装置を介した通信により、前記住宅の前記諸機能への制御を開始させることを特徴とする請求項１から１３のいずれかに記載の住宅利用支援システム。
【請求項１７】
前記課金処理機能が連動する外部のシステムが、前記人工知能アシスタント機能を介して取引した宅配商品の料金収受システム、定期購買商品の料金収受システム、家賃の料金収受システム、不動産付属の共有設備利用の料金収受システム、公共料金の料金収受システム、コンテンツデータ利用料金収受システムのいずれかまたはそれらの組み合わせを含むシステムであることを特徴とする請求項４から９に記載の住宅利用支援システム。
【請求項１８】
前記利用者が保持する通信機能付き機器に、前記住宅利用支援アプリケーションに対する遠隔操作アプリケーションを備え、
前記住宅利用支援アプリケーションが、
前記ドア開閉制御機能が作動状態になった場合に、前記遠隔操作アプリケーションに対して、前記ドア開閉制御機能以外の前記諸機能を実行させても良いか否かの承認情報の送信をリクエストするリクエスト情報を発信するリクエスト情報発信機能と、
前記遠隔操作アプリケーションから送信された前記承認情報を受けるまでは前記ドア開閉制御機能以外の前記諸機能の実行をロックする住宅諸機能ロック機能と、
前記遠隔操作アプリケーションから送信される前記承認情報を受けると前記ドア開閉制御機能以外の前記諸機能の実行をアンロックする住宅諸機能アンロック機能を備え、
前記利用者が前記遠隔操作アプリケーションを介して、前記住宅利用支援アプリケーションの前記リクエスト情報発信機能の設定および解除が可能である請求項１から１７のいずれかに記載の住宅利用支援システム。
【請求項１９】
前記住宅利用支援アプリケーションで利用される各々の前記住宅利用支援アプリケーションファイルまたは前記住宅利用支援アプリケーションデータ管理単位が前記利用者別の個人単位に個人フォルダまたは個人別データ管理単位にまとめられており、
前記住宅利用支援アプリケーションで利用される各々の前記個人フォルダまたは前記個人別データ管理単位に、前記住宅利用支援アプリケーションで前記個人フォルダまたは前記個人別データ管理単位を開くための個人フォルダオープン暗証コードまたは個人別データ管理単位オープン暗証コードと、前記住宅利用支援システムで開いた前記個人フォルダまたは前記個人別データ管理単位を閉じるための個人フォルダクローズ暗証コードまたは個人別データ管理単位が設定されたものであることを特徴とする請求項１から１８のいずれかに記載の住宅利用支援システム。
【請求項２０】
前記オープン暗証コードおよび前記クローズ暗証コードが、あらかじめ登録された前記利用者の生体情報であることを特徴とする請求項１から１９のいずれかに記載の住宅利用支援システム。
【請求項２１】
前記生体情報が指紋パターンであり、前記指紋パターンの入力データとして、指紋読み取り部を用いて入力した該当する指の指紋パターンの画像データと、前記指紋読み取り部に対する前記指のスキャン方向を示すスキャン方向データが含まれていることを特徴とする請求項２０に記載の住宅利用支援システム。
【請求項２２】
前記住宅が、マンションの各住戸、大規模タワーマンションの各住戸、戸建て住宅、アパート集合住宅、オフィスビルの各部屋、ログハウス、組立家屋、シェアハウス、ホテル、旅館、レンタルルームのいずれかまたはそれらの利用区画を含むものである請求項１から２１のいずれかに記載の住宅利用支援システム。
【請求項２３】
前記利用ログデータを暗号化する暗号処理部を備え、
前記データ入出力機能が、前記暗号処理部により暗号化された前記利用ログデータを入出力することを特徴とする請求項１から２２のいずれかに記載の住宅利用支援システム。
【請求項２４】
住宅の機能の利用を支援する住宅利用支援アプリケーションを装備した利用者通信機能付き機器を利用した住宅利用支援方法であって、
前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは住宅利用支援アプリケーションデータ管理単位を開くためのオープン暗証コードと、前記住宅利用支援アプリケーションで開いた前記住宅利用支援アプリケーションファイルまたは住宅利用支援アプリケーションデータ管理単位を正常終了して閉じるためのクローズ暗証コードが設定された住宅利用支援アプリケーションファイルまたは住宅利用支援アプリケーションデータ管理単位と、
コード入力手段を介した前記オープン暗証コードの入力を受けて前記住宅利用支援アプリケーションファイルまたは前記住宅利用支援アプリケーションデータ管理単位を開くアプリケーションファイル開錠機能と、
前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠機能を備えたことを特徴とする住宅利用支援方法。
【請求項２５】
前記利用ログデータを暗号化する暗号処理部を備え、
前記データ入出力機能が、前記暗号処理部により暗号化された前記利用ログデータを入出力することを特徴とする請求項２４に記載の住宅利用支援方法。
【発明の詳細な説明】
【技術分野】
【０００１】
本発明は、住宅の利用を支援する住宅利用支援アプリケーションを装備した住宅利用支援システムに関する。
本発明で利用を支援する住宅としては、戸建て住宅、マンションの各住戸、大規模タワーマンションの各住戸、アパート集合住宅、オフィスビルの各部屋、ログハウス、組立家屋などがあり得る。利用形態としても、所有、賃貸、シェアハウス、ホテル、旅館、レンタルルームなど多様な利用形態があり得る。
【背景技術】
【０００２】
住宅はインテリジェント化が進んでいる。住宅に装備された諸機能がコンピュータリソースにより自動操作が行われるようになっている。
例えば、住宅では、鍵穴に鍵を差し込まなくてもドア開閉制御装置によりドアロック、ドアアンロックを操作できるようにした住宅用キーレスシステムが登場している。
このような住宅用キーレスシステムでは、ドア開閉制御装置の認証コードが接触式の電子キーや無線通信が可能な非接触式電子キーに記憶させておいたり、利用者本人の生体情報に基づいて生成したりする。前者であれば、利用者が電子キーを身に着けておくだけで所定距離に近づければ認証コードが自動的にドア開閉制御装置に対して送信され、認証コードが一致したときにドアのロック／アンロックを行う。また、後者であれば、指紋や指の静脈などを読み取りデバイスに読み取らせることにより、読み取りデバイスを介してドア開閉制御装置に認証キーが渡されて認証コードが一致したときにドアのロック／アンロックを行う。
なお、住宅に装備されている他の諸機能も連動して起動するシステムもある。【０００３】
現在普及している接触式電子キーまたは非接触式電子キーによる住宅キーレスシステムの問題の一つは、住宅に出入りする際に電子キーを身に着けておかなればならないという問題がある。従来の物理的な鍵のように鍵穴に差し込む必要がないため、利用者は電子キーを衣服のポケットや鞄に入れたままの状態にすることが多い。すると、利用者は、電子キーを所持していることを忘れがちになる。また、外出先での電子キーの紛失・盗難に気付きにくくなる。電子キーを紛失すると、ドアのロック／アンロックができなくなってしまい、また、電子キーを紛失すると、その対応に追われることとなり、さらに、住宅の不法侵入につながってしまうおそれもある。【０００４】
携帯電話やスマートフォンなどの利用者携帯端末を利用してドアの開閉を行うことを目指した技術も模索されている。なお、一般に普及している携帯通信端末は、無線型の非接触式の電子キーに採用されている通信規格（ＬＦ波やＵＨＦ波を使った規格など）とは異なるので、ドア開閉制御装置の付属装備として、スマートフォンなどの通信規格によるデータを受信できる受信装置などが装備されていれば可能である。【０００５】
例えば、図２３に示すように、携帯電話機１２にスマートキーシステムの電子キーのＩＤコードを持たせ、住宅１４側に携帯電話機１２と通信のできる受信機を装備する例がある。
また、スマートフォンが近距離無線通信（ＮＦＣ：Near Field Communication）機能を装備したものであれば、スマートフォンのモードを切り替えて通信を行う「スマートタグ」と呼ばれるＮＦＣタグが商品化されており、このＮＦＣタグに認証キーを登録しておき、住宅入退出時に、住宅内に設置されたＮＦＣタグにスマートフォンをかざすだけで、ＮＦＣタグを介してドア開閉制御装置と連動することは可能である。【０００６】
【特許文献１】特開２００７−１６２３１０号公報
【発明の開示】
【発明が解決しようとする課題】
【０００７】
住宅はインテリジェント化が進む一方で、解決すべき問題もある。
電子キーを用いた住宅用キーレスシステムは、ドアの開閉について従来の鍵穴に鍵を差し込んで回す施錠操作、閉錠操作をアクチュエータによる回旋作動で電子的に代替したものであり、言わば単機能であり、それ以上のインテリジェンスな機能はない。
住宅が進化し、キーレスシステムに加え、防犯セキュリティ管理機能、バスユニット管理機能、停電対策を兼ねた蓄電装置管理機能、冷蔵庫内の食料貯蔵庫管理機能、排泄物から利用者の健康状態を検知するトイレ付設健康管理機能、ガス電気水道管理機能、宅配ボックス管理機能、照明空調システム制御機能、オーディオビジュアル機器制御機能、動植物管理機能、車庫管理機能、安否確認機能、コンシェルジュ機能などの諸機能の装備が進んでいるが、これらは別々に独立していることが多く、今後、システムが統合されてゆくと期待される。【０００８】
住宅に装備された対話型認識インターフェイスを装備した人工知能システムとの連動も、コンピュータ処理の一環と捉えることができ、住宅がコンピューターと融合し始めている。
ここで、それら住宅の諸機能をコンピュータ処理の一環として、如何に統合してゆくかが問題となってくる。【０００９】
次に、住宅の諸機能をコンピュータ処理の一環として統合してゆくに際して、セキュリティ対策も重要となってきている。
例えば、従来技術における住宅キーレスシステムは、従来の物理的な鍵と同様、電子キーを所有していることで正当な利用者としてドアの開閉を行うことができるため、電子キーが紛失や盗難により他者にわたってしまうと当該他者が住宅を不正に窃取してしまうことが可能となる。これは、住宅の所有者が利用者の真の個人情報と結びついていないために起こる問題である。【００１０】
住宅のコンピュータとの融合が進むと、一般のコンピュータに求められるセキュリティレベルの対策が必要となってくる。
従来の住宅では、一度、電子キーからＩＤ情報を入力してドアを開錠すると、住宅内に入った利用者が自由に住宅を利用できてしまう。
つまり、住宅へのアクセスに際しては、ドアを開閉しようとする者が正当な使用権限がある者か否かを確認するため、様々なセキュリティレベルに基づく情報の入力を求め得るが、使用開始時に一度、ドアの開閉の権限の認証が成功すれば、その後はその使用者が正しい利用者として住宅を利用できることが前提であり、それ以上のセキュリティ設定を行っていない。【００１１】
図２４は、一般的なアプリケーションを立ち上げてアプリケーションファイルを開き、その後、終了して閉じる操作を簡単に説明する図である。
図２４（ａ）に示すように、利用者がアプリケーション１０を使用しようとする際には、アプリケーション１０のアイコンを選択し、ダブルクリックなどの操作で起動をかければアプリケーション１０が起動する。
アプリケーション１０で編集可能な各々のアプリケーションファイル２０ａ，２０ｂ，２０ｃなどもコンピュータシステム上にインストールされており、各々のアイコンがコンピュータシステムのモニタ上に表示されている。利用者が使用しようとするアプリケーションファイル２０のアイコンを選択し、ダブルクリックなどの操作で起動をかければ、アプリケーション１０が立ち上がるとともにアプリケーションファイル２０が読み込まれてアプリケーション１０を用いて編集可能な状態となる。【００１２】
ここで、セキュリティが設定されているアプリケーションファイル２０であれば、図２４（ｂ）の上段に示すように、アプリケーションファイル２０の編集などアプリケーション１０の使用を開始する前にはパスワードの入力が求められる運用がある。しかし、図２４（ｂ）の下段に示すように、アプリケーションファイル２０の所望の編集が終了すれば、モニタ上に表示されているアプリケーション１０の入力画面の“終了”や“閉じる”という操作により、アプリケーション１０が単純に終了し、アプリケーションファイル２０がそのまま単純に閉じられる。
つまり、アプリケーションファイル２０の利用開始時にはパスワードなどによりセキュリティ管理を行うが、一度使用権限の認証が成功すれば、アプリケーションファイル２０の編集終了後に閉じる際にはパスワードの入力など特段のセキュリティ設定を行っていない。
しかし、住宅の利用を取り扱うアプリケーション、アプリケーションファイルの場合、利用終了時にも利用に伴う内容の承認、確定、記録というセキュリティ設定が必要な場合がある。【００１３】
そこで、上記従来の問題に鑑み、本発明は、住宅の諸機能をコンピュータ処理として、住宅利用支援アプリケーションと住宅利用支援アプリケーションファイルまたは住宅利用支援アプリケーションデータ管理単位という概念を通じて有機的に統合してゆくことを実現することを目的とする。
また、住宅の諸機能をコンピュータ処理として統合するにあたり、住宅利用支援システムファイルまたは住宅利用支援アプリケーションデータ管理単位に対する操作に対するセキュリティ設定を施し、アプリケーション、アプリケーションファイルまたはアプリケーションデータ管理単位の終了に伴う内容の承認、確定、記録という操作にもセキュリティ設定を施した住宅利用支援システムを提供することを目的とする。
【課題を解決するための手段】
【００１４】
上記目的を達成するため、本発明の住宅利用支援システムは、住宅に装備された諸機能の利用を支援する住宅利用支援アプリケーションと、前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは前記住宅利用支援アプリケーションデータ管理単位を開くためのオープン暗証コードと、前記住宅利用支援アプリケーションで開いた前記住宅利用支援アプリケーションファイルまたは前記住宅利用支援アプリケーションデータ管理単位を正常終了して閉じるためのクローズ暗証コードが設定された住宅利用支援アプリケーションファイルまたは住宅利用支援アプリケーションデータ管理単位と、コード入力手段を介した前記オープン暗証コードの入力を受けて前記住宅利用支援アプリケーションファイルまたは前記住宅利用支援アプリケーションデータ管理単位を開くアプリケーションファイル開錠機能と、前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠機能を備えたことを特徴とする住宅利用支援システムである。【００１５】
住宅利用支援アプリケーションの機能としては、住宅に装備された諸機能に指示を与える住宅諸機能制御機能と、住宅の利用に際して生じる利用ログデータを住宅単位または前記住宅の利用者単位に分類または未分類のまま収集する利用ログデータ収集機能と、住宅利用支援アプリケーションファイルまたは住宅利用支援アプリケーションデータ管理単位に対して利用ログデータ収集機能により収集したデータの入出力を行うデータ入出力機能を備えたものとすることができる。【００１６】
また、アプリケーションファイル閉錠機能として、クローズ暗証コードの入力を受けて、住宅利用支援アプリケーションファイルまたは住宅利用支援アプリケーションデータ管理単位に利用ログデータ収集機能により収集した利用ログデータを確定して格納し、正常終了して閉じるものとする。
なお、住宅に装備された諸機能としては、コンピュータ制御が可能な機能であり、ドアロック開閉機能、防犯セキュリティ管理機能、動植物管理機能、車庫管理機能、宅配ボックス管理機能、蓄電装置管理機能、食料貯蔵庫管理機能、ガス電気水道管理機能、安否確認機能、バスユニット管理機能、トイレ付設健康管理機能、コンシェルジュ機能、人工知能アシスタント機能、照明空調システム制御機能、オーディオビジュアル機器制御機能、課金処理機能、各種センサによるセンシングデータ収集機能のいずれかまたはそれらの組み合わせを含むものがあり得る。
なお、上記の諸機能のうち、課金処理機能が連動する外部のシステムとしては、人工知能アシスタント機能を介して取引した宅配商品の料金収受システム、定期購買商品の料金収受システム、家賃の料金収受システム、不動産付属の共有設備利用の料金収受システム、公共料金の料金収受システム、コンテンツデータ利用料金収受システム、車庫利用システム、コンシェルジュ機能利用システムのいずれかまたはそれらの組み合わせを含むシステムなどがあり得る。【００１７】
ここで、上記に示した諸機能のうち、常時稼働しているもの、利用者の外出時に稼働するものと、利用者の居住時に稼働するものがあり得る。それぞれの稼働中に利用ログデータ収集機能により利用ログデータが収集され、住宅利用支援アプリケーションファイルまたは住宅利用支援アプリケーションデータ管理単位に格納されるものとする。
例えば、住宅に装備された諸機能のうち、常時稼働にかかるものが宅配ボックス管理機能、蓄電装置管理機能、食料貯蔵管理機能、ガス電気水道管理機能、安否確認管理機能、動植物管理機能、各種センサによるセンシングデータ収集機能のいずれかまたはそれらの組み合わせを含むものがあり得る。
また、住宅に装備された諸機能のうち、利用者の外出時に稼働するものが、ドアロック開閉機能、防犯セキュリティ管理機能のいずれかまたはそれらの組み合わせを含むものがあり得る。
また、住宅に装備された諸機能のうち、利用者の居住時に稼働するものが、バスユニット管理機能、トイレ付設健康管理機能、コンシェルジュ機能、人工知能アシスタント機能、照明空調システム制御機能、オーディオビジュアル機器制御機能、課金処理機能のいずれかまたはそれらの組み合わせを含むものがあり得る。
なお、これらの分類は一例に過ぎず、異なる分類も可能である。例えば、上記で常時稼働とした機能であるセンシングデータ収集機能が外出時稼働のものとしても良い。【００１８】
上記のように、住宅の諸機能が常時稼働するもの、利用者の外出時に稼働するもの、利用者の居住時に稼働するものに分類される場合、住宅利用支援アプリケーションファイルまたは住宅利用支援アプリケーションデータ管理単位として居住時用のものと、外出時用のものを設けることができる。
この場合、両者のオープンとクローズの関係が逆になり入れ替わる。
つまり、オープン暗証コードが、外出時用の住宅利用支援アプリケーションファイルまたは外出時用の住宅利用支援アプリケーションデータ管理単位を正常終了して閉じるためのスイッチ用のクローズ暗証コードとなり、クローズ暗証コードが、外出時用の住宅利用支援アプリケーションファイルまたは外出時用の住宅利用支援アプリケーションデータ管理単位を開くためのスイッチ用のオープン暗証コードとなる。
このように、オープン暗証コードの入力により、居住時用に稼働する住宅利用支援アプリケーションファイルまたは住宅利用支援アプリケーションデータ管理単位が開く一方、外出時用の住宅利用支援アプリケーションファイルまたは外出時用の住宅利用支援アプリケーションデータ管理単位が正常終了して閉じることにより、稼働するものが入れ替わる。
同様に、クローズ暗証コードの入力により、居住時用に稼働する住宅利用支援アプリケーションファイルまたは住宅利用支援アプリケーションデータ管理単位が正常終了し、外出時用の住宅利用支援アプリケーションファイルまたは外出時用の住宅利用支援アプリケーションデータ管理単位が開くことにより、稼働するものが入れ替わる。【００１９】
次に、住宅の利用者が複数人いる場合について述べる。
次に、本発明の住宅利用支援システムを適用した住宅の利用者が複数人いる場合を想定した例を述べる。住宅の利用者が複数人いる場合とは、例えば、父親、母親、子供、祖父、祖母など家族が複数人いる場合や、ホームヘルパー、メイドなどの正当なサービス提供者がいる場合などが想定される。また、シェアハウスであれば、複数人の利用者が想定されるし、いわゆる民泊利用に提供する場合、民泊で訪れた利用客などが想定される。
この場合、住宅の諸機能の利用ログデータの収集にあたり、利用者ごとに利用ログデータの収集を行う。例えば、バスユニット管理機能、トイレ付設健康管理機能、コンシェルジュ機能、課金処理機能は、使用に際して利用者を特定するＩＤ情報を入力させることで利用者と当該機能が紐づいて稼働するものとし、利用者ごとに利用ログデータの収集を行うことができる。
利用ログデータの収集について、住宅利用支援アプリケーションファイルまたは住宅利用支援アプリケーションデータ管理単位として、住宅共用のものと、各々の利用者ごとのものがあり、住宅共用の前記利用ログデータ、各々の利用者ごとの利用ログデータをそれぞれ蓄積することができる。【００２０】
このように、複数人の利用者が想定される場合、個人フォルダによって複数人の利用を管理する構成があり得る。
例えば、住宅利用支援アプリケーションで利用される各々の住宅利用支援アプリケーションファイルまたは住宅利用支援アプリケーションデータ管理単位が利用者別の個人単位に個人フォルダまたは個人別データ管理単位にまとめられており、住宅利用支援アプリケーションで利用される各々の個人フォルダまたは個人別データ管理単位に、住宅利用支援アプリケーションで個人フォルダまたは個人別データ管理単位を開くための個人フォルダオープン暗証コードまたは個人別データ管理単位オープン暗証コードと、住宅利用支援システムで開いた個人フォルダまたは前記個人別データ管理単位を閉じるための個人フォルダクローズ暗証コードまたは個人別データ管理単位クローズ暗証コードが設定されたものとすればよい。【００２１】
上記したように、住宅利用支援アプリケーションファイルまたは住宅利用支援アプリケーションデータ管理単位において、利用ログデータの収集について説明したが、あらかじめ住宅利用支援アプリケーションファイルまたは住宅利用支援アプリケーションデータ管理単位に住宅諸機能に関してカスタマイズデータを記載しておき、オープン時に、住宅諸機能制御機能が住宅利用支援アプリケーションファイルまたは前記住宅利用支援アプリケーションデータ管理単位に入力されているカスタマイズデータを読み込んで住宅諸機能の初期稼働状態とするようカスタマイズ設定できることも可能である。【００２２】
次に、居住中において、近くのコンビニエンスストアへ出かけたり、戸外の郵便受けや宅配ボックスに行くなど、一旦外鍵操作をして戸外に出るが、すぐに戻るような場合がある。この外鍵操作で上記したようなクローズ処理が実行されても良いが、一時的なものとして住宅の諸機能の稼働状態は変更したくない場合も十分にあり得る。そこで、本発明の住宅利用支援システムでは、そのような外出時モードを設ける運用も可能である。
つまり、オープン暗証コードおよびクローズ暗証コードに加え、一時外出暗証コードおよび一時外出解除暗証コードが設けられており、また、住宅利用支援アプリケーションがアプリケーションファイル一時外出−解除機能を備えた構成とする。住宅のドアの開閉において、一時外出暗証コードが入力された場合、アプリケーションファイル一時外出−解除機能が、住宅諸機能制御機能を介して、住宅に装備された前記諸機能のうち、常時稼働しているものおよび利用者の居住時に稼働していたものはそのまま維持し、利用者の外出時に稼働するものは稼働状態に切り替えることを特徴とするものである。
なお、アプリケーションファイル一時外出−解除機能が、住宅諸機能制御機能を介して、ドアロック開閉機能のみの稼働状態を変更し、その他の諸機能の稼働状態を変更しないとする運用も可能である。【００２３】
本発明の住宅利用支援システムにおいて利用可能なオープン暗証コードおよびクローズ暗証コードとしては、例えば、数字からなる暗証番号、アルファベットも加えた暗証コード、また、個人データの所有者である個人の生体情報もあり得る。生体情報としては限定されず様々なものが想定され、指紋パターン、静脈パターン、顔画像パターン、虹彩パターン、声紋パターンなどの多種多様な生体情報がある。
また、デバイスとしては、オープン暗証コードがパスワードである場合はキーボードやテンキーがあり得る。オープン暗証コードが生体情報である場合は、生体情報読み取りセンサ（指紋リーダー、静脈パターンリーダー、顔認証用のカメラ、虹彩パターンリーダー、音声入力装置など）があり得る。また、オープン暗証コードが画像から得られた人のモーション情報であれば、画像認識用のカメラなどがあり得る。【００２４】
なお、生体情報の場合、入力手段は問わないが、例えば指紋パータンの場合の工夫として、入力データとして、指紋読み取り部を用いて入力した該当する指の指紋パターンの画像データと、指紋読み取り部に対する指のスキャン方向を示すスキャン方向データを含むものとする工夫がある。指のスキャン方向を示すスキャン方向データがあれば、同じ１つの指（例えば右手の親指）を用いて、スキャンの方向を変えることにより複数通りの暗証コードの入力が可能であり、指紋リーダーに対して関節から押し当てて指先までスキャンした場合をオープン暗証コードとし、逆に、指紋リーダーに対して指先から押し当ててそのまま指の関節に向けてスキャンした場合をクローズ暗証コードとすることも可能となる。スキャンは指の上下方向だけではなく、左右方向、斜め方向など多様に考えられ、その分、１つの指で入力可能なコード情報の数が増えてゆく。
ここで、住宅としても特に限定されず、戸建て住宅、マンションの各住戸、大規模タワーマンションの各住戸、オフィスビルの各部屋、アパート集合住宅、組立家屋、ログハウスなどがあり得る。利用形態としても、所有、賃貸、シェアハウス、ホテル、旅館、レンタルルームなどがあり得る。【００２５】
ここで、住宅利用支援システムの各構成要素のシステム構成について述べる。
第１のパターンのシステム構成は、住宅利用支援アプリケーション、および、住宅利用支援アプリケーションファイルまたは住宅利用支援アプリケーションデータ管理単位が、住宅内のコンピュータリソースに設けられており、コード入力手段が住宅の一部で外部からアクセス可能な箇所または利用者が保持する携帯端末などの通信機能付き機器に設けられた構成である。
この第１のパターンのシステム構成であれば、利用者が外部からコード入力手段に対してアクセスすることにより、住宅利用支援アプリケーションが自動的に起動され、さらに、利用者がオープン暗証コードを入力することにより、住宅利用支援アプリケーションファイルまたは住宅利用支援アプリケーションデータ管理単位が開くとともに、住宅の諸機能への制御を開始させることが可能となる。
例えば、コード入力手段が住宅のドアの一部やインターホンの一部に設けられた構成がある。オープン暗証コードが指紋パターンの生体情報であれば、利用者が指紋読み取りデバイスに指紋をスキャンすることにより、ドアが自動的に開き、住宅の諸機能が稼働し、住宅利用支援アプリケーションファイルまたは住宅利用支援アプリケーションデータ管理単位に記載された住宅の諸機能のカスタマイズ設定がなされ、利用に伴う利用ログデータを収集、記録する準備が整うこととなる。【００２６】
次に、第２のパターンのシステム構成は、住宅利用支援アプリケーション、および、住宅利用支援アプリケーションファイルまたは住宅利用支援アプリケーションデータ管理単位が、住宅外のコンピュータリソース（例えば、ネットワーク経由でデータ送受信可能なサーバー）に設けられており、コード入力手段が住宅の一部で外部からアクセス可能な箇所または利用者が保持する携帯端末などの通信機能付き機器に設けられた構成であり、それぞれがネットワークを介して住宅内の前記諸機能を制御できる構成である。
この第２のパターンでも、利用者が外部からコード入力手段に対してアクセスすることにより、住宅利用支援アプリケーションが自動的に起動され、さらに、利用者がオープン暗証コードを入力することにより、住宅利用支援アプリケーションファイルまたは住宅利用支援アプリケーションデータ管理単位が開くとともに、住宅の諸機能への制御を開始させることが可能となるが、第１のパターンと異なる点は、住宅利用支援アプリケーションファイルまたは住宅利用支援アプリケーションデータ管理単位が、ネットワークを介したクラウド上に格納されており、クラウドサービスを通じて、住宅の諸機能が稼働し、住宅利用支援アプリケーションファイルまたは住宅利用支援アプリケーションデータ管理単位に記載された住宅の諸機能のカスタマイズ設定がなされ、利用に伴う利用ログデータを収集、記録する準備が整うこととなる。【００２７】
第３のパターンのシステム構成は、住宅利用支援アプリケーション、住宅利用支援アプリケーションファイルまたは住宅利用支援アプリケーションデータ管理単位、および、コード入力手段が利用者が保持する携帯端末などの通信機能付き機器に設けられ、住宅内のコンピュータリソースに通信機能付き機器から送信された信号を受信する受信装置が装備された構成である。
この第３のパターンのシステム構成であれば、利用者が携帯端末などの通信機能付き機器のコード入力手段に対してアクセスすることにより、住宅利用支援アプリケーションが自動的に起動され、さらに、利用者がオープン暗証コードを入力することにより、住宅利用支援アプリケーションファイルが開くとともに、受信装置を介した通信により住宅の諸機能への制御を開始させることが可能となる。
この第３のパターンのシステム構成において、オープン認証コード、クローズ認証コードが生体情報である場合、携帯端末などの通信機能付き機器に生体情報読み取りデバイスが装備されており、通信機能付き機器を用いて生体情報を読み込み、通信機能付き機器内でオープン認証コード、クローズ認証コードを生成し、住宅内の受信装置に対して送信することでオープン認証コード、クローズ認証コードの入力を行うことができる。【００２８】
ここで、セキュリティ機能としては、住宅に装備されているホームセキュリティ機能を広く採用することができるが、本発明の住宅利用支援システムとしては、ドアの鍵の開閉を通知する機能がある。
例えば、利用者が保持する携帯端末などの通信機能付き機器に住宅利用支援アプリケーションに対する遠隔操作アプリケーションを備えた構成とし、住宅利用支援アプリケーションが、ドア開閉制御機能が作動状態になった場合に、遠隔操作アプリケーションに対して、ドア開閉制御機能以外の諸機能を実行させても良いか否かの承認情報の送信をリクエストするリクエスト情報を発信するリクエスト情報発信機能と、遠隔操作アプリケーションから送信された承認情報を受けるまでは、ドア開閉制御機能以外の諸機能の実行をロックする住宅諸機能ロック機能と、遠隔操作アプリケーションから送信される承認情報を受けるとドア開閉制御機能以外の諸機能の実行をアンロックする住宅諸機能アンロック機能を備えた構成とする。
上記構成により、利用者が遠隔操作アプリケーションを介して、住宅利用支援アプリケーションのリクエスト情報発信機能の設定および解除が可能となり、外出中にドアが開閉されたことを検知して通知することができ、不審者が住戸内に侵入したか否かを確認することができる。【００２９】
なお、上記構成では、オープン暗証コードおよびクローズ暗証コードが住宅利用支援アプリケーションファイルまたは住宅利用支援アプリケーションデータ管理単位に設定された構成例であったが、オープン暗証コードおよびクローズ暗証コードが住宅利用支援アプリケーションに対して設定された構成もあり得る。
この構成の場合、住宅利用支援アプリケーションのアプリケーション開錠機能が、コード入力手段を介したオープン暗証コードの入力を受けて住宅利用支援アプリケーションを開くもの、またはそれと併せて住宅利用支援アプリケーションファイルまたは住宅利用支援アプリケーションデータ管理単位を開くものとなる。
また、この構成の場合、住宅利用支援アプリケーションのアプリケーション閉錠機能が、コード入力手段を介したクローズ暗証コードの入力を受けて、開いている状態の住宅利用支援アプリケーションを正常終了して閉じるもの、またはそれと併せて住宅利用支援アプリケーションファイルまたは住宅利用支援アプリケーションデータ管理単位を正常終了して閉じるものとなる。【００３０】
なお、上記のように、オープン暗証コードおよびクローズ暗証コードの入力により、住宅利用支援アプリケーション自体を開いたり閉じたりする動作と連動させる場合において、クローズ暗証コードの入力によって完全に住宅利用支援アプリケーションのプログラムを終了させる取り扱いもあれば、完全に終了させるのではなく、住宅の諸機能である防犯セキュリティ管理機能、食料貯蔵庫管理機能、蓄電装置管理機能、宅配ボックス管理機能、バスユニット管理機能などの一部の機能が稼働し続ける必要がある場合も想定できるので、住宅利用支援アプリケーションの機能の一部は維持したまま他の機能を終了させるという取り扱いも住宅利用支援アプリケーションの終了という概念に含むものとする。【００３１】
次に、住宅に対する不正アクセス防止の工夫について述べる。ここでは利用者が保持する通信機能付き機器を利用する手段について述べる。
本発明の住宅利用支援システムにおいて、利用者が保持する通信機能付き機器に住宅利用支援アプリケーションに対する遠隔操作アプリケーションを備え、住宅利用支援アプリケーションが、コード入力手段へのアクセスにより住宅利用支援アプリケーションが自動的に起動した場合、または、ドア開閉制御装置が作動状態になった場合に、遠隔操作アプリケーションに対して、住宅のその他の諸機能を実行させても良いか否かの承認情報のリクエスト情報を発信するリクエスト情報発信機能と、遠隔操作アプリケーションから送信された承認情報を受けるまでは、その他の諸機能の実行をロックする住宅諸機能ロック機能と、遠隔操作アプリケーションから送信される承認情報を受けるとその他の諸機能の実行をアンロックする住宅諸機能アンロック機能を備え、利用者が遠隔操作アプリケーションを介して、住宅利用支援アプリケーションのリクエスト情報発信機能の設定および解除を可能としたものである。【００３２】
このように、住宅へのアクセスがあった場合に利用者の通信機能付き機器に通知が届く仕組みを構築でき、利用者が知らないアクセスの通知があれば不法に室内に侵入されたことを検知でき、住宅の諸機能の作動を承認せずに防止することができる。
ここで、利用者通信機能付き機器とは、携帯電話、スマートフォン、タブレット型コンピューター、パーソナルコンピューター、スマートウォッチ、車両など利用者が可搬または運転移動できるコンピュータリソースなどがあり得る。【００３３】
次に、本発明にかかる住宅の機能の利用を支援する住宅利用支援アプリケーションを装備した住宅利用支援方法は、住宅利用支援アプリケーションで利用される個々の住宅利用支援アプリケーションファイルまたは住宅利用支援アプリケーションデータ管理単位であって、住宅利用支援アプリケーションで住宅利用支援アプリケーションファイルまたは住宅利用支援アプリケーションデータ管理単位を開くためのオープン暗証コードと、住宅利用支援アプリケーションで開いた住宅利用支援アプリケーションファイルまたは住宅利用支援アプリケーションデータ管理単位を正常終了して閉じるためのクローズ暗証コードが設定された住宅利用支援アプリケーションファイルまたは住宅利用支援アプリケーションデータ管理単位と、コード入力手段を介したオープン暗証コードの入力を受けて住宅利用支援アプリケーションファイルまたは住宅利用支援アプリケーションデータ管理単位を開くアプリケーションファイル開錠機能と、コード入力手段を介したクローズ暗証コードの入力を受けて、開いている状態の住宅利用支援アプリケーションファイルまたは住宅利用支援アプリケーションデータ管理単位を正常終了して閉じるアプリケーションファイル閉錠機能を備えたことを特徴とする住宅利用支援方法である。【００３４】
また、住宅利用支援方法として、住宅利用支援アプリケーションファイルの設定されたオープン暗証コードおよびクローズ暗証コードに代えて、住宅利用支援アプリケーションに対して、住宅利用支援アプリケーションを開くためのオープン暗証コードと、開いている住宅利用支援アプリケーションを正常終了して閉じるためのクローズ暗証コードが設定されており、コード入力手段を介したオープン暗証コードの入力を受けて住宅利用支援アプリケーションを開くためのアプリケーション開錠機能と、コード入力手段を介したクローズ暗証コードの入力を受けて、開いている状態の住宅利用支援アプリケーションを正常終了して閉じるアプリケーション閉錠機能を備えたことを特徴とする住宅利用支援方法としても良い。
【図面の簡単な説明】
【００３５】
【図１】実施例１にかかる住宅利用支援システム１００の構成を簡単に示した図である。
【図２】外出中の住宅利用支援システム１００および住宅の諸機能２００の動作を示す図である。
【図３】住宅利用支援アプリケーションファイル１３０の開錠の流れを簡単に示した図である。
【図４】オープン暗証コードの入力、クローズ暗証コードの入力例を簡単に示した図である。
【図５】ドアロック解除を含む住宅の諸機能２００の制御開始の流れ、住宅の諸機能２００がアクティブ化される流れを簡単に示した図である。
【図６】住宅の諸機能の利用により生じる利用ログデータの収集を簡単に示した図である。
【図７】住宅利用支援アプリケーションファイル１３０の閉錠の流れを簡単に示した図である。
【図８】住宅の諸機能２００の操作データがシーケンス制御される流れの一例を簡単に示した図である。
【図９】ドアロック施錠を含む住宅の諸機能２００の制御開始の流れ、住宅の諸機能２００の制御が切り替わる流れを簡単に示した図である。
【図１０】一時的な外出時における住宅の諸機能２００の制御の流れ、住宅の諸機能２００の制御が切り替わる流れを簡単に示した図（その１）である。
【図１１】一時的な外出時における住宅の諸機能２００の制御の流れ、住宅の諸機能２００の制御が切り替わる流れを簡単に示した図（その２）である。
【図１２】一時的な外出時における住宅の諸機能２００の制御の流れ、住宅の諸機能２００の制御が切り替わる流れを簡単に示した図（その３）である。
【図１３】一時的な外出時における住宅の諸機能２００の制御の流れ、住宅の諸機能２００の制御が切り替わる流れを簡単に示した図（その４）である。
【図１４】一時的な外出時における住宅の諸機能２００の制御の流れ、住宅の諸機能２００の制御が切り替わる流れを簡単に示した図（その５）である。
【図１５】暗号化した利用ログデータを外部システムへ提供する流れを簡単に示した図である。
【図１６】住宅の利用開始、つまり、住宅に鍵を開けて入る際に伴う流れを示した図である。
【図１７】住宅の利用終了、つまり、住宅に鍵を掛けて外出する際に伴う流れを示した図（その２）である。
【図１８】利用者ごとに住宅利用支援アプリケーションファイル１３０を設けた構成例を示す図である。
【図１９】実施例３にかかる住宅利用支援システム１００ａの構成を簡単に示した図である。
【図２０】実施例４にかかる住宅利用支援システム１００ｂの構成を簡単に示した図である。
【図２１】通信機能付き機器３００の画面を介した操作の流れを簡単に示す図（その１）である。
【図２２】通信機能付き機器３００の画面を介した操作の流れを簡単に示す図（その２）である。
【図２３】特開２００１−２４１２２９号公報に開示された住宅システムの構成を簡単に示した図である。
【図２４】従来術における一般的なアプリケーションを立ち上げてアプリケーションファイルを開き、その後、閉じる操作を簡単に説明する図である。
【発明を実施するための最良の形態】
【００３６】
以下、本発明の実施例を説明する。なお、本発明はこれらの実施例に限定されるものではない。適用する住宅としては、本発明で利用を支援する住宅は限定されず、戸建て住宅、マンションの各住戸、大規模タワーマンションの各住戸、アパート集合住宅、ログハウス、組立家屋などがあり得る。利用形態としても、所有、賃貸、シェアハウス、ホテル、旅館、レンタルルームなど多様な利用形態があり得る。
【実施例１】
【００３７】
実施例１にかかる本発明の住宅利用支援システム１００について説明する。
実施例１の住宅利用支援システムは、第１のパターンであり、住宅利用支援アプリケーション、住宅利用支援アプリケーションファイルまたは住宅利用支援アプリケーションデータ管理単位が住宅に設けられており、コード入力手段が住宅の一部で外部からアクセス可能な箇所（例えば、ドアやインターフォン付近などに埋設されたり外付けされたりなどの形態があり得るが限定されない）に設けられた構成例について説明する。
住宅利用支援アプリケーション、住宅利用支援アプリケーションファイルまたは住宅利用支援アプリケーションデータ管理単位が装備される箇所は限定されないが、例えば、住宅内のコンピュータリソースに記憶されたアプリケーションおよびアプリケーションファイルでも良い。住宅内のコンピュータリソースは住宅の一部に取り付けられた形態やセットトップボックスの形態で載置されたものがあり得る。クラウドシステムに装備する例は実施例３として説明し、利用者が保持するスマートフォンなど通信機能付き機器に装備する例は実施例４として説明する。
利用者に対する情報提示は、利用者の五感のいずれかに覚知させるものであれば良く、視覚の場合ではモニタやテレビジョン受像機、聴覚に場合ではスピーカーを通じて行う構成などがあり得る。
なお、住宅利用支援システム１００の住宅利用支援アプリケーション１２０は住宅利用支援アプリケーションファイルまたは住宅利用支援アプリケーションデータ管理単位を扱うが、以下の説明において、住宅利用支援アプリケーションファイルを例に説明する。レコード、フィールドなどデータの取り扱い単位である住宅利用支援アプリケーションデータ管理単位の場合も同様に考えて読み替えるものとする。【００３８】
また、住宅に装備された諸機能のうち、常時稼働しているもの、利用者の外出時に稼働するもの、利用者の居住時に稼働するものがある例として説明する。なお、運用によっては、常時稼働しているものとして説明したものが一時稼働停止する場合や、利用者の外出時に稼働するものとして説明しているものが利用者の居住時に稼働する場合や、利用者の居住時に稼働するとして説明しているものが利用者の外出時に稼働する場合など、多様なケースもあり得るため、下記の説明は運用上の一例として説明したものである。
各々の諸機能は、稼働中に利用ログデータ収集機能により収集された利用ログデータが住宅利用支援アプリケーションファイルまたは住宅利用支援アプリケーションデータ管理単位に格納される例となっている。【００３９】
図１は、実施例１にかかる住宅利用支援システム１００の構成を簡単に示した図である。なお、図１には、住宅利用支援システム１００のほか、住宅および住宅の諸機能２００の各機能（２１０〜２８０）も併せて示されている。
図１に示すように、住宅利用支援システム１００と住宅の諸機能２００はデータ通信可能なように接続されている。なお、住宅の諸機能２００に対して外部の携帯端末３００やクラウドシステムから送信された信号を受信する機能を備えている。例えば、住宅内に装備されたネットワーク装置や住宅に載置されたセットトップボックスが装備された構成があり得る。ここでは例えば、住宅に載置されたセットトップボックス型の受信装置２９１が設けられている例として説明する。【００４０】
住宅利用支援システム１００は、コード入力手段１１０、住宅利用支援アプリケーション１２０、住宅利用支援アプリケーションファイル１３０を備えた構成となっている。
以下、各構成要素を説明する。【００４１】
コード入力手段１１０は、オープン暗証コード、クローズ暗証コードを入力するデバイスである。デバイスの構成は入力するオープン暗証コードやクローズ暗証コードによって異なる。例えば、オープン暗証コードやクローズ暗証コードがパスワードである場合はキーボードがあり得る。数字だけであればテンキーもあり得る。オープン暗証コードやクローズ暗証コードが生体情報である場合は、生体情報読み取りセンサ（指紋リーダー、静脈パターンリーダー、顔認証用のカメラ、虹彩パターンリーダー、音声入力装置など）があり得る。
図１の例では、システム構成のブロック図であるので、住宅２００の諸機能のブロックの枠内に描かれていないが、コード入力手段１１０の設置個所自体は住宅の一部でも良いし、利用者が保持する携帯端末などの通信機能付き機器でも良い。例えば、この例においても、コード入力手段１１０がドアの一部やインターフォンの一部に組み込まれた例であっても良い。【００４２】
コード入力手段１１０が住宅２００の一部に装備される構成例では、住宅の外部からアクセスできる箇所に設けられていることが好ましい。設置個所は限定されないが、例えば、住宅のドアやインターフォンの一部などに設置する例があり得る。
コード入力手段１１０がスマートフォンなどの通信機能付き機器に装備される構成例であれば、スマートフォンなどの通信機能付き機器などが装備しているデバイスを利用することができる。すでに、指紋リーダー、カメラ、マイクロフォンなどが装備されている例があるが、利用する生体情報によっては、携帯端末に静脈パターンリーダーや虹彩パターンリーダーを装備させても良い。【００４３】
住宅利用支援アプリケーション１２０は、住宅の機能の利用を支援するアプリケーションであって、アプリケーションファイル開錠機能１２１、住宅諸機能制御機能１２２、利用ログデータ収集機能１２３、データ入出力機能１２４、アプリケーションファイル閉錠機能１２６を備えた構成となっている。【００４４】
アプリケーションファイル開錠機能１２１は、利用者からコード入力手段１１０を介して入力されたオープン暗証コードの入力を受けて認証処理を行い、住宅利用支援アプリケーションファイル１３０を開く機能である。後述するように、住宅利用支援アプリケーションファイル１３０にはオープン暗証コードが設定されており、その一致を確認して認証処理を行い、認証が成功すれば住宅利用支援アプリケーションファイル１３０をオープン状態とする。【００４５】
住宅諸機能制御機能１２２は、住宅利用支援アプリケーションファイルまたは前記住宅利用支援アプリケーションデータ管理単位に入力されているデータに従って住宅に装備された諸機能２００に指示を与えるものである。
住宅利用支援アプリケーション１２０が住宅諸機能制御機能１２２を備えることにより、ファイルデータ部１３２に入力されて指定されているデータを住宅２００に装備されている諸機能に対して出力することにより、住宅の諸機能２００のカスタマイズも可能となる。住宅の諸機能２００は、住宅利用支援アプリケーション１２０から与えられたデータに基づいて住宅の諸機能２００を実行する。なお、ファイルデータ部１３２に記録されているデータが住宅の諸機能２００に対する実行のシーケンスが記載されている場合、当該シーケンスに従ってデータを該当する諸機能２００に対して出力する構成も可能である。また、実行予定時間が記載されている場合、実行時間になれば該当する諸機能に対して出力する構成も可能である。住宅利用支援アプリケーションファイル１３０のファイルデータ部１３２に利用者が住宅の諸機能のカスタマイズデータを入力しておくことによりオープン暗証コードを入力することにより、住宅の諸機能のカスタマイズが可能となる。【００４６】
利用ログデータ収集機能１２３は、住宅の諸機能２００の利用を通じて発生する利用ログデータを収集するものである。利用ログデータ収集機能１２３により収集した利用ログデータは、データ入出力機能１２４を介してファイルデータ部１３２に記録される。【００４７】
データ入出力機能１２４は、住宅利用支援アプリケーションファイル１３０のファイルデータ部１３２に対してデータの入出力を行うものである。
新たにデータを入力することばかりではなく、過去に入力されて記録されているデータを選択して出力する機能も有するものとする。
データ入出力機能１２４は、後述するように、アプリケーションファイル閉錠機能１２６の閉錠操作において、住宅利用支援アプリケーションファイル１３０のファイルデータ部１３２に残っている今回の利用にかかる利用ログデータを確定して記録するものである。このように、ファイルデータ部１３２に残っている今回の利用にかかる利用ログデータを確定して記録することにより、後述するような記録管理、課金処理管理、学習機能が可能となる。
なお、データ入出力機能１２４は、オプションとして暗号処理部１２７を備える構成も可能である。暗号処理部１２７が備える暗号処理／復号処理のアルゴリズムは特に限定されず、様々なものがあり得る。データ入出力機能１２４が暗号処理部１２７を備えることにより、ファイルデータ部１３２に対してデータの出力を行う際に暗号処理部１２７を介して平文の利用ログデータを暗号化してからファイルデータ部１３２に対して書き込んだり、逆に、利用者の要望に応じて暗号化された利用ログデータを復号して可読にしたりすることができる。また、図示していない外部システムに対して利用ログデータを提供する際、データ入出力機能１２４が暗号処理部１２７を介して利用ログデータを暗号化したうえで外部システムに対して送信することもできる。利用ログデータには個人情報も含まれているため、外部提供する際には暗号化した状態で提供することが好ましいからである。【００４８】
アプリケーションファイル閉錠機能１２６は、利用者からコード入力手段１１０を介して入力されたクローズ暗証コードの入力を受けて認証処理を行い、開いている状態の住宅利用支援アプリケーションファイルを正常終了して閉じる機能である。後述するように、住宅利用支援アプリケーションファイル１３０にはクローズ暗証コードが設定されており、その一致を確認して認証処理を行い、認証が成功すれば、アプリケーションファイル閉錠機能が、データ入出力機能１２４を介して、住宅利用支援アプリケーションファイル１３０のファイルデータ部１３２に記録された今回の利用にかかる利用ログデータの記録を承認、確定して、利用ログデータ収集機能１２４を介して記録し、正常終了してクローズ状態とする。【００４９】
利用にかかる利用ログデータの記録を承認、確定、記録保持を行うことにより、住宅利用支援アプリケーションファイル１３０という概念を通じて住宅の諸機能をコンピュータ処理の結果として有機的に統合した形でデータ化することができ、住宅利用管理、課金処理管理、諸機能の学習機能などが可能となる。
収集した利用ログデータは、後述する課金処理機能２７０における処理でも利用可能であるし、利用者の生活パターンを分析することで利用者に適した住宅利用の在り方の支援が可能であるし、生活スタイルの情報が欲しい企業に対して個人データ情報として提供することも可能である。【００５０】
住宅利用支援アプリケーションファイル１３０は、住宅利用支援アプリケーション１２０で利用される個々のアプリケーションファイルである。
住宅利用支援アプリケーションファイル１３０は、オープン暗証コード１３１、ファイルデータ部１３２、クローズ暗証コード１３５を備えた構成となっている。【００５１】
オープン暗証コード１３１は、住宅利用支援アプリケーション１２０で住宅利用支援アプリケーションファイル１３０を開くための暗証コードであり、アプリケーションファイル開錠機能１２１によって認証処理が行われる。【００５２】
ファイルデータ部１３２は、住宅利用支援アプリケーションファイル１３０に入力されたデータが格納される部分である。利用ログデータ収集機能１２３により収集された利用ログデータがデータ入出力機能１２４を介して住宅利用支援アプリケーションファイル１３０に入力、編集、出力される。【００５３】
クローズ暗証コード１３５は、住宅利用支援アプリケーション１２０により開かれている住宅利用支援アプリケーションファイル１３０を正常終了して閉じるための暗証コードであり、アプリケーションファイル閉錠機能１２６によって認証処理が行われる。データ入出力機能１２４により入力されたデータが確定される。
つまり、このように、住宅の諸機能２００により生じた利用ログデータが利用ログデータ収集機能１２３により収集され、データ入出力機能１２４により住宅利用支援アプリケーションファイル１３０に対して蓄積され、アプリケーションファイル閉錠機能１２６によってデータが確定される。【００５４】
次に、住宅の諸機能２００について簡単に説明しておく。
住宅の諸機能２００については様々なものが想定され、本発明では様々な住宅の諸機能２００を適用し得る。ここでは一例について説明する。
この構成例では、住宅の諸機能２００として、ドアロック開閉機能２１０、防犯セキュリティ管理機能２２０、車庫管理機能２３０、宅配ボックス管理機能２４０、蓄電装置管理機能２５０、食料貯蔵庫管理機能２６０、ガス電気水道管理機能２６１、安否確認管理機能２６２、動植物管理機能２６３、バスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０、各種センサによるセンシングデータ収集機能２８０が示されているが、そのほかにも住宅に装備された機能があればそれら機能も含めて良い。【００５５】
ドアロック開閉機能２１０は、ドアロックをロック、アンロックを制御してドアの開閉を制御するものである。その鍵構造については限定されないが、ここでは、いわゆる電子ロックキーであり、オープン暗証コードの認証成功により住宅利用支援アプリケーション１２０の制御によりアクチュエータが稼働し、電子ロックキーがロック、アンロックされる構造である。
ここで、住宅のドアの開閉操作として、外側からの施錠や開錠操作と、内側からの施錠や開錠操作がある。前者はいわゆる“外鍵”、後者はいわゆる“内鍵”と呼ばれるものである。
例えば、ドアの一部やインターフォンの一部にコード入力手段１１０が組み込まれているケースでは、オープン暗証コード、クローズ暗証コードの入力に伴ってドアロック開閉機能２１０が連動し得るが、ここでは、住宅のドアの開閉において、ドアの外側から施錠するもの（外鍵）がクローズ暗証コードと対応し、ドアの外側から開錠するもの（外鍵）が前記オープン暗証コードと対応する一方、ドアの内側から施錠するもの（内鍵）はクローズ暗証コードとは対応せず、ドアの内側から開錠するもの（内鍵）がオープン暗証コードと対応とは対応しないものとする。
つまり、内鍵は用心のために居住中でもドアの鍵を掛けておく行為なので、内鍵を掛けても掛けなくても居住中であることには変わらないため、内鍵操作についてはオープン処理、クローズ処理には該当しないものと取り扱うことができる。
ドアロック開閉機能２１０を装備することで住宅の利用に関するドアの開閉をデータとして収集・蓄積することができる。【００５６】
防犯セキュリティ管理機能２２０については、住宅利用支援アプリケーション１２０とデータ入出力を通じて連動できるものであれば、特に限定されず、様々なものが想定され、例えば、警備会社やセキュリティ管理会社などが提供する防犯セキュリティ管理機能２２０であっても良い。例えば、センサなどがドア、窓、壁などに取り付けられ、開閉や破壊を検知する機能、防犯カメラやインターフォンで映像を撮影する機能、居住中の住人からの緊急通報機能など多様なものがある。警備会社やセキュリティ管理会社のセンターシステムとの連動のみならず、本発明の住宅利用支援システム１００と連動できるものであれば良い。
防犯セキュリティ管理機能２２０を装備することで住宅の防犯セキュリティに関するデータを収集・蓄積することができる。【００５７】
車庫管理機能２３０は、住宅に付設されている車庫への車両の入出庫の管理を行うものである。車両の入出庫を検知するセンサなどが設けられている。車庫に門扉やシャッターがある場合、その開閉状態を管理することも好ましい。さらに近年、タワーマンションや大規模マンションなどでは、車両を個人では所有せず、マンションの付属設備として車両を備え、複数の住人で共同利用するという形態も始まりつつあるが、車庫管理機能２３０としてそのような共同管理している車両の車庫への入出庫を管理する機能もあり得る。
車庫管理機能２３０を装備することで住居人の車両利用に関するデータを収集・蓄積することができる。【００５８】
宅配ボックス管理機能２４０は、住宅利用支援アプリケーション１２０とデータ入出力を通じて連動できるものであれば、特に限定されず、いわゆるインテリジェント宅配ボックスと呼ばれているもので、宅配または集配の荷物の有無などを検知し、利用者に宅配物の有無などを通知する機能を備えたものなどが想定される。通知機能は特に限定されず、室内のインターフォンのモニタに表示される機能やスマートフォンへのメール送信の形で通知する機能などがあり得る。
宅配ボックス管理機能２４０を装備することで住居人の宅配利用に関するデータを収集・蓄積することができる。【００５９】
蓄電装置管理機能２５０は、住宅利用支援アプリケーション１２０とデータ入出力を通じて連動できるものであれば、特に限定されず、いわゆるバッテリなどの蓄電装置を含む電力供給システムで良い。停電などで商用電源の利用ができない場合に、住宅の諸機能に対して電力を供給する機能を備えたものである。【００６０】
食料貯蔵庫管理機能２６０は、住宅利用支援アプリケーション１２０とデータ入出力を通じて連動できるものであれば、特に限定されず、いわゆるインテリジェント冷蔵庫などと呼ばれている貯蔵食料の内容や量を管理したり、料理に必要な食材を解析し、食材の在庫管理などを行うものなどで良い。
食料貯蔵庫管理機能２６０を装備することで住居の食料購入・消費に関するデータを収集・蓄積することができる。【００６１】
ガス電気水道管理機能２６１は、ガス、電気、水道というライフラインの公共サービスを利用する設備を管理する機能であり、それらインフラの使用状況、使用料金などに関するデータを収集・蓄積することができる。【００６２】
安否確認管理機能２６２は、住居外で離れて暮らしている高齢者、住居内の高齢者などに対する安否確認、または、住居人の子供に対する安否確認を行うものである。一般に商業利用できる安否確認管理機能が提供され始めており、住宅利用支援システム１００と連動できるものであれば特に限定されない。
安否確認管理機能２６２を装備することで住居人の関係者で見守りが必要な人の行動データを収集・蓄積することができる。【００６３】
動植物管理機能２６３は、住居内で飼っている愛玩動物や住居の庭やベランダなどで植栽している植物に対する管理を行う機能である。例えば、カメラやセンサなどで愛玩動物の行動確認を行う機能、給餌機能、植物に対する水やり、防虫薬剤散布などを自動的に行うものなどがあり得る。
動植物管理機能２６３を装備することで住居内の愛玩動物や植物に関するデータを収集・蓄積することができる。【００６４】
バスユニット管理機能２６４は、タイマー給湯、浴槽へのお湯張り、室内温度管理、室内灯のオンオフ管理などバスユニットの管理に関する機能があり得る。住宅利用支援アプリケーション１２０とデータ入出力を通じて連動できるものであれば、特に限定されず、いわゆるシステムバスなどで普及しつつあるもので良い。
バスユニット管理機能２６４を装備することで住居内のお風呂の利用に関するデータを収集・蓄積することができる。【００６５】
トイレ付設健康管理機能２６５は、住宅利用支援アプリケーション１２０とデータ入出力を通じて連動できるものであれば、特に限定されず、いわゆるインテリジェントトイレなどと呼ばれているものがある。トイレの使用時間、使用回数、水の使用量、さらには、トイレの排泄物をもとに各種センサで健康状態を把握する検査数値を得るものなどがある。例えば、血糖値、尿中タンパク量、潜血量などを検知するものなどが想定される。
トイレ付設健康管理機能２６５を装備することで住居内のトイレの利用に関するデータ、さらには住居人の健康に関する検査データを収集・蓄積することができる。【００６６】
コンシェルジュ機能２６６は、コンシェルジュに対して行ったサービスのリクエスト情報と、コンシェルジュから提供されたサービス内容などに関する情報を把握する機能である。
コンシェルジュは本来はホテルの職域の一つであり、客の様々な相談や要望に応えるプロフェッショナルを指し、航空券や観劇のチケットを手配したり、道案内やレストランの紹介をしたり、贈答時のプレゼント選びなどあらゆる要望を承るものである。近年はタワーマンション、大規模マンションなどのサービスの一環としてコンシェルジュが居る場合も多い。また、人工知能搭載のコンシェルジュロボットなどもあり得る。
コンシェルジュ機能２６６を装備することで住居人がコンシェルジュを通じて利用したサービスに関するリクエストデータ、提供されたサービス内容などに関するデータを収集・蓄積することができる。【００６７】
人工知能アシスタント機能２６７については、住宅利用支援アプリケーション１２０とデータ入出力を通じて連動できるものであれば、特に限定されず、様々なものが想定される。例えば近年、音声で指示入力ができる人工知能アシスタントシステムが普及しつつあるが、それらであっても良い。人工知能アシスタント機能２６７はそれら人工知能アシスタントシステムの利用ログデータを得るものである。
人工知能アシスタント機能２６７を装備することで住居人が人工知能アシスタントシステムを通じて入力したデータ、人工知能アシスタントシステムが回答したデータやサービス内容に関するデータを収集・蓄積することができる。【００６８】
照明・空調システム制御機能２６８は、住宅利用支援アプリケーション１２０とデータ入出力を通じて連動できるものであれば、特に限定されない。
照明・空調システム制御機能２６８も住宅利用支援アプリケーション１２０とデータ入出力を通じて連動できるものであれば、特に限定されない。
照明・空調システム制御機能２６８を装備することで住居の照明・空調システムを通じた制御データを収集・蓄積することができる。【００６９】
オーディオビジュアル（ＡＶ）機器管理機能２６９は、住居内でのテレビやオーディオ機器のオンオフ、ボリューム、チャンネル選択など視聴に関する制御を行う機能である。
ＡＶ機器管理機能２６９を装備することで住居でのテレビやＡＶ機器の利用を通じた趣味趣向に関するデータを収集・蓄積することができる。【００７０】
課金処理機能２７０は住宅利用支援アプリケーション１２０とデータ入出力を通じて連動できるものであれば、特に限定されない。例えば、いわゆるクレジットカードシステム、デビット支払いシステムなどと連動できれば良い。
課金処理機能２７０を装備することで住居の生活や事業活動などで発生したクレジットカード利用データ、デビット支払いデータを収集・蓄積することができる。【００７１】
センシングデータ収集機能２８０は、住宅内に装備された各種センサによるセンシングデータを収集する機能である。例えば、カメラ画像による画像センシング機能、モーションセンシング機能、床センサによる利用者の移動などを検知する床センシング機能、温度センサによる温度センシング機能、マイクロフォンによる音声センシング機能など多様なものがあり得る。音声認識技術を伴えば利用者ごとに特定が可能となる。モーションセンシング機能によっては声が出しづらい高齢者の意思表示などをセンシングすることも可能である。
また、ベッドに対して体重移動センサ、温度センサ、呼吸センサ、脈拍センサ、音声センサなどを配しておき、睡眠中の利用者の睡眠状態をセンシングして睡眠の質を推定することも可能である。【００７２】
以上が本発明にかかる住宅利用支援システム１００の各構成例である。
ここで、上記した住宅の諸機能２００について、機能別に常時稼働しているもの、利用者の外出時に稼働するもの、前記利用者の居住時に稼働するものを分類することができる。
なお、この分類は一例であり、限定されるものではない。
例えば、住宅に装備された諸機能２００のうち、図２に示すように、常時稼働にかかるものとしては、蓄電装置管理機能２５０、食料貯蔵管理機能２６０、ガス電気水道管理機能２６１、安否確認管理機能の２６２、動植物管理機能２６３、センシングデータ収集機能２８０のいずれかまたはそれらの組み合わせを含むものとすることができる。
利用者の外出時に稼働するものとしては、ドアロック開閉機能２１０、防犯セキュリティ管理機能２２０、車庫管理機能２３０、宅配ボックス管理機能２４０のいずれかまたはそれらの組み合わせを含むものとすることができる。
利用者の居住時に稼働するものとしては、バスユニット管理機能２６４、トイレ付設健康管理機能２６５、コンシェルジュ機能２６６、人工知能アシスタント機能２６７、照明空調システム制御機能２６８、オーディオビジュアル機器制御機能２６９、課金処理機能２７０のいずれかまたはそれらの組み合わせを含むものとすることができる。【００７３】
次に、住宅利用支援システム１００による住宅２００の諸機能の制御の例を、利用の流れの例に沿って説明する。
常時稼働、外出時稼働、居住時稼働については上記の分類に沿った例を説明する。
まずは外出時の状態から説明する。
（１）外出中の状態
図２は、外出中の住宅利用支援システム１００および住宅の諸機能２００の動作を示す図である。
図２に示すように、蓄電装置管理機能２５０、食料貯蔵管理機能２６０、ガス電気水道管理機能２６１、安否確認管理機能の２６２、動植物管理機能２６３、センシングデータ収集機能２８０は常時稼働しており、ドアロック開閉機能２１０、防犯セキュリティ管理機能２２０、車庫管理機能２３０、宅配ボックス管理機能２４０は外出時であるので稼働している状態である。
それぞれの諸機能で発生する利用ログデータは、利用ログデータ収集機能１２３により収集され、データ入出力機能１２４を介してファイルデータ部１３２に書き出されている。【００７４】
（２）住宅利用支援アプリケーションファイル１３０の開錠
住宅の利用者が帰宅または到着し、ドアを開錠する。
図３は、住宅利用支援アプリケーションファイル１３０の開錠の流れを簡単に示した図である。
利用者が住宅の利用にあたり、コード入力手段１１０に対してアクセスする。
例えば、住宅のドアの側面に設けられているコード入力手段１１０に対してアクセスする。オープン暗証コードを入力する流れの一環として親指が触れたことをもってアクセスと判断しても良い。コード入力手段がアクセスされたことも検知する機能を備え、電気信号として住宅利用支援アプリケーションの起動信号となり、住宅利用支援アプリケーション１２０が起動する。【００７５】
引き続き、利用者がコード入力手段１１０に対してオープン暗証コードを入力する。
図４は、オープン暗証コードの入力、クローズ暗証コードの入力例を簡単に示した図である。この例では住宅のドアの一部の表面に指紋リーダーの読取口が設けられているものとする。この例では、図４（ａ）のように、コード入力手段１１０である指紋リーダーの読取口が住宅ドアの一部またはインターフォン付近の一部に設置されている。
この例では、オープン暗証コード、クローズ暗証コードとも親指の指紋の生体情報とし、スキャンの方向によって両者を区別する工夫をしている。図４（ｂ）のように、指紋リーダーの読取口に対して親指を関節側から押し当て、そのまま指先側へ向けて親指をスライドさせて（図中親指を下へスライド）スキャンする。コード入力手段１１０において、親指の関節側から指先側までサンプリング順に切り取られて読み込まれた指紋データの切片が得られる。これをオープン暗証コードの入力とする。【００７６】
逆に、図４（ｅ）のように、コード入力手段１１０である指紋リーダーの読取口に対して親指の指先を押し当て、そのまま関節側へ向けて親指をスライドさせて（図中親指を上へスライド）スキャンする。コード入力手段１１０において、親指の指先側から関節側までサンプリング順に切り取られて読み込まれた指紋データの切片が得られている。これをクローズ暗証コードとする。【００７７】
両者とも切片を画像として組み立てると同じ親指の指紋画像データとなるが、組み立てた親指の指紋データとともにサンプリング順が関節側からなのか指先側からなのかというデータも併せて保持しておけば、同じ親指を用いて区別可能な２つの暗証コードの入力が可能となる。ここでは、図４（ｂ）のパターンで親指をスキャンして得られたデータをオープン暗証コードとし、図４（ｅ）のパターンで親指をスキャンして得られたデータをクローズ暗証コードとした例である。【００７８】
なお、この例では、指を変えることにより、他に複数通りのコードを入力することができ、後述するように、一時外出暗証コード、一時外出解除暗証コードを入力することができる。例えば、図４（ｃ）および図４（ｄ）に示すように、異なる指（例えば人差し指）を用い、かつ、スキャンする方向を上下方向で区別すれば入力が可能となる。一時外出暗証コード、一時外出解除暗証コードについては後述する。【００７９】
引き続き、住宅利用支援アプリケーションファイル１３０の開錠の流れの説明に戻る。
ここでは、まず、図４（ｂ）に示すように、指紋リーダーの読取口に対して親指の第１関節側から押し当ててそのまま指先まで擦ってスキャンすることでオープン暗証コードが入力される。
図３に示すように、コード入力手段１１０を介して入力されたコードが住宅利用支援アプリケーション１２０のアプリケーションファイル開錠機能１２１に渡され、アプリケーションファイル開錠機能１２１が住宅利用支援アプリケーション１３０に記憶されているオープン暗証コード１３１との認証を行い、認証が成功すれば住宅利用支援アプリケーションファイル１３０を開錠する。【００８０】
（３）ドアロックの解除
アプリケーションファイル開錠機能１２１による認証成功を受け、住宅利用支援アプリケーション１２０は住宅諸機能制御機能１２２により、住宅諸機能１２０の制御を行う。
図５は、ドアロック解除を含む住宅の諸機能２００の制御開始の流れ、住宅の諸機能２００がアクティブ化される流れを簡単に示した図である。
住宅諸機能制御機能１２２は、住宅利用支援アプリケーションファイル１３０のファイルデータ部１３２にアクセスし、カスタマイズデータとして記載されたデータを読み出して住宅２００の諸機能に与える。
図５に示すように、常時稼働している蓄電装置管理機能２５０、食料貯蔵管理機能２６０、ガス電気水道管理機能２６１、安否確認管理機能の２６２、動植物管理機能２６３、センシングデータ収集機能２８０はそのまま制御が引き継がれるが、外出時に稼働するドアロック開閉機能２１０、防犯セキュリティ管理機能２２０、車庫管理機能２３０、宅配ボックス管理機能２４０はオンからオフの状態になる。なお、外出時に稼働する機能の一部について、居住中でもそのままオンを維持する運用とすることもできる。【００８１】
ここでは、まず、ファイルデータ部１３２において、ドアロック開閉機能２１０に対するドアロック解除命令を示すデータが記載されているものとする。ドアロック開閉機能２１０は、住宅諸機能制御機能１２２からのドアロック解除命令に従い、ドアロックを解除する。
また、ドアロック開閉機能２１０によるドアロック解除に伴って、防犯セキュリティ管理機能２２０についても、住宅諸機能制御機能１２２からの命令に基づき、居住中の防犯セキュリティ管理モードに移行する。例えば、各部屋の照明が点灯するなど諸機能が利用されてもそれを異常状態とは検知しないなど、居住中に必要とされる防犯セキュリティ管理を行うものとする。
なお、住宅に利用者が入った後、ドアロックを掛けない利用者もいるが、居住中でもドアロックを掛ける利用者も多い。後述するアプリケーションファイル閉錠機能１２６によるクローズ処理によらず、利用者が居住中にドアロック開閉機能２１０を通じてドアロックを掛けることができることが好ましい。【００８２】
（４）住宅の諸機能のアクティブ化
住宅利用支援アプリケーション１２０は住宅諸機能制御機能１２２により、住宅利用支援アプリケーションファイル１３０のファイルデータ部１３２にアクセスし、記載されたカスタマイズデータを読み出して住宅２００の諸機能に与える。ファイルデータ部１３２にはすでに住宅の諸機能の制御に必要な命令がシーケンスで記載されているものとする。
ここでは、図５に示すように、外出時にオフとなっていたバスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０がアクティブ化されて起動開始するものとする。
利用者はドアを開けて住宅２００に入る。
その後、それぞれの諸機能で発生する利用ログデータは、利用ログデータ収集機能１２３により収集され、データ入出力機能１２４を介してファイルデータ部１３２に書き出されてゆく。また、居住者の活動がセンシングデータ収集機能２８０により収集され、その行動に関するデータの収集も可能である。【００８３】
課金処理機能２７０が起動されるタイミングは住宅の利用形態によってはかならずしもこのタイミングでなくとも良い場合もあるが、例えば、利用時間で課金がされるシェアハウスのような利用の場合であれば、利用開始のタイミングをもって課金が始まる場合もあり得るので、ここでは、このタイミングでアクティブ化されることもあり得る。
住宅の諸機能はそれぞれのモジュールの制御部が制御するものであり、住宅利用支援アプリケーション１２０がその制御の目標値やパラメータを与えたり、その出力値をモニタしたりすることで各モジュールの制御部の処理を支援するものでも良い。【００８４】
（５）住宅の諸機能の利用
図６は、住宅の諸機能の利用により生じる利用ログデータの収集を簡単に示した図である。
ここでは、住宅の諸機能２００の利用により、蓄電装置管理機能２５０、食料貯蔵庫管理機能２６０、ガス電気水道管理機能２６１、安否確認管理機能の２６２、動植物管理機能２６３、バスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０が稼働すると、稼働状況を示す利用ログデータがそれぞれのモジュールで発生し、それら利用ログデータが利用ログデータ収集機能１２３により収集され、データ入出力機能１２４によりファイルデータ部１３２に記録されてゆく。また、居住者の活動がセンシングデータ収集機能２８０により収集され、その行動に関するセンシングデータも利用ログデータの一種として利用ログデータ収集機能１２３により収集され、データ入出力機能１２４によりファイルデータ部１３２に記録されてゆく。【００８５】
ここで、住宅の諸機能２００のうち、一部の機能は使用者を特定した上で利用ログデータを収集することも可能である。
図６の例では、バスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０については、利用時にＩＤ情報を入力する例となっている。しかし、これは一例であり、利用時にＩＤ情報の入力を省略する運用も可能である。
コンシェルジュ機能２６６や人工知能アシスタント機能２６７を通じて利用者が制御指示情報の入力を行う場合、あらかじめ登録した音声データを基に音声認識により個人を特定することができる。また、別途リモコンを介して制御指示情報の入力を行う場合、リモコンに生体情報の入力デバイスが搭載されている構成も可能であるし、単純に利用者別のボタンを装備し、そのボタンの押下により利用者を特定する運用もあり得る。【００８６】
人工知能アシスタント機能２６７では、音声を介して入力された利用者のリクエスト情報も利用ログデータとして残すことが好ましい。例えば、音声入力により住宅諸機能に対する指示（例えば、エアコンの温度を下げる指示）や商品の発注（宅配ピザの発注）などを音声で与え、または、人工知能アシスタント機能２６７が利用者に提示した選択候補の中からの選択指示なども利用ログデータとして収集することが好ましい。稼働状況を示す利用ログデータがそれぞれのモジュールで発生し、それら利用ログデータが利用ログデータ収集機能１２３により収集され、データ入出力機能１２４によりファイルデータ部１３２に記録されてゆく。【００８７】
（６）利用終了
図７および図８は、住宅の利用終了、つまり、住宅に鍵を掛けて外出する際に伴う流れを示した図である。
図７は、住宅利用支援アプリケーションファイル１３０の閉錠の流れを簡単に示した図である。
利用者は住宅の利用を終了して外出する際に、コード入力手段１１０を介してクローズ暗証コードを入力する。ここでは、図４（ｅ）に示した例によりクローズ暗証コードを入力するものとし、指紋リーダーに親指の指先を押し当ててそのまま関節側まで擦ってスキャンすることによりクローズ暗証コードを入力する。【００８８】
住宅利用支援アプリケーション１２０のアプリケーションファイル閉錠機能１２６がクローズ暗証コードを認証し、認証が成功すれば、アプリケーションファイル閉錠機能１２６が、住宅利用支援アプリケーションファイル１３０のファイルデータ部１３２に記録された今回の利用中に生じた利用ログデータ、課金情報を承認、確定して、データ入出力機能１２４を介して記録し、正常終了して閉じる。
課金決済がクレジットであれば、クレジット利用として正しい内容であったことを確認した上でクレジット決済の実行を認める運用も可能である。また、利用にかかる利用ログデータを承認、確定して正しい記録を残すことにより、利用ログデータを残しておくことにより個人データの様々な活用も可能となり、利用者の利用ログデータの再利用も可能となり、外部システムとの連動でビッグデータとしての利用も可能となる。
ここで、モニタや合成音声を通じて、利用者に対して今回の利用にかかる結果、内容、課金状態などをガイダンスする構成でも良い。【００８９】
（７）ドアロックの施錠
アプリケーションファイル閉錠機能１２６による認証成功を受け、住宅利用支援アプリケーション１２０は住宅諸機能制御機能１２２により、住宅諸機能１２０の制御を行う。
図８は、ドアロック施錠を含む住宅の諸機能２００の制御開始の流れ、住宅の諸機能２００の制御が切り替わる流れを簡単に示した図である。
住宅諸機能制御機能１２２は、住宅利用支援アプリケーションファイル１３０のファイルデータ部１３２にアクセスし、カスタマイズデータとして記載されたデータを読み出して住宅２００の諸機能に与える。
図８に示すように、常時稼働している蓄電装置管理機能２５０、食料貯蔵管理機能２６０、ガス電気水道管理機能２６１、安否確認管理機能の２６２、動植物管理機能２６３、センシングデータ収集機能２８０はそのまま制御が引き継がれるが、外出時に稼働するドアロック開閉機能２１０、防犯セキュリティ管理機能２２０、車庫管理機能２３０、宅配ボックス管理機能２４０はオフからオンの状態になる。【００９０】
ここでは、まず、ファイルデータ部１３２において、ドアロック開閉機能２１０に対するドアロック施錠命令を示すデータが記載されているものとする。ドアロック開閉機能２１０は、住宅諸機能制御機能１２２からのドアロック施錠命令に従い、ドアロックを施錠する。
また、ドアロック開閉機能２１０によるドアロック施錠に伴って、防犯セキュリティ管理機能２２０についても、住宅諸機能制御機能１２２からの命令に基づき、外出中の防犯セキュリティ管理モードに移行する。例えば、各部屋のドアや窓が開閉されるなど諸機能が利用されればそれを異常状態と検知するなど、外出中に必要とされる防犯セキュリティ管理を行うものとする。【００９１】
（８）住宅の諸機能の切り替え
住宅利用支援アプリケーション１２０は住宅諸機能制御機能１２２により、住宅利用支援アプリケーションファイル１３０のファイルデータ部１３２にアクセスし、記載されたカスタマイズデータを読み出して住宅２００の諸機能に与える。ファイルデータ部１３２にはすでに住宅の諸機能の制御に必要な命令がシーケンスで記載されているものとする。
ここでは、図８に示すように、居住時にオンとなっていたバスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０が停止状態となるものとする。
この例では、図８以降、図２に戻る。【００９２】
（９）住宅の諸機能の予約制御
なお、この例では、時間の進行に従って、住宅利用支援アプリケーションファイル１３０のファイルデータ部１３２に記載されている時間指定の住宅の諸機能２００の操作データはタイムテーブルに基づいて、住宅諸機能制御機能１２２によりシーケンス制御を行うことができるものとする。例えば、午後８時になるとバスユニット管理機能２３０によりお風呂のお湯張りが自動的に行われるなどの例である。【００９３】
図９は、住宅の諸機能２００の操作データが予約によってシーケンス制御される流れの一例を簡単に示した図である。図９の例では、ファイルデータ部１３２の一部において、時間によるシーケンス制御命令が記述されており、この例では、２０：００にバスユニット管理機能２６４に対して、お風呂の浴槽にお湯張りするよう給湯するという制御命令が記載されており、住宅利用支援アプリケーション１２０の住宅諸機能制御機能１２２がファイルデータ部１３２のシーケンス制御情報を読み込むことにより、２０：００になると住宅諸機能制御機能１２２がバスユニット管理機能２６４に対して浴槽にお湯張りをする給湯命令を伝え、給湯を開始する。
バスユニット管理機能２６４は、当該シーケンス制御命令に基づいて、与えられた指示内容を実行する。
バスユニット管理機能２６４は予定された浴槽にお湯張りが完了すれば、再び停止状態に戻る運用も可能である。【００９４】
次に、一時的な外出時における住宅の諸機能２００の制御の流れ、住宅の諸機能２００の制御が切り替わる流れについて述べる。
居住中に、近所への一時的な外出などはあり得る。この場合、エアコンの設定や照明の設定など住宅諸機能を維持したままとしておきたい場合があり、上記したような住宅の諸機能２００の稼働状態を変更してしまうクローズ処理およびオープン処理は控えたい場合が想定される。【００９５】
そこで、一時外出モードを設ける工夫を行う。
例えば、オープン暗証コードに加え、一時外出暗証コードを設けておき、また、クローズ暗証コードに加え、一時外出解除暗証コードを設けておく。このように一時外出暗証コードと一時外出解除暗証コードを設けておけば、近所への一時的な外出などは上記のオープン処理、クローズ処理とは異なる処理を行う。
ここでは、一時外出暗証コード、一時外出解除暗証コードとも、同じ入力手段１１０から入力するものとする。一時外出暗証コード、一時外出解除暗証コードの入力方法は限定されないが、例えば、図４で説明した暗証コードの入力方法において図４（ｂ）は親指を上から下へ擦ることによるオープン暗証コードの入力方法、図４（ｅ）は親指を下から上へ擦ることによるクローズ暗証コードの入力方法として説明したが、図４（ｃ）は人差し指を下から上へ擦ることによる一時外出暗証コードの入力方法を示し、図４（ｄ）は人差し指を上から下へ擦ることによる一時外出解除暗証コードの入力方法とすることができる。このように、図４（ｃ）、図４（ｄ）の方法により同じコード入力手段１１０によって一時外出暗証コードおよび一時外出解除暗証コードを入力することができる。【００９６】
その他にも、例えば、コード入力手段１１０をドアの外側のみならずドアの内側にも設けておき、ドアの外側に出てドアを閉めてから暗証コードを入力する場合は、クローズ暗証コードと取り扱われ、ドアを開けてドアの内側にあるコード入力手段１１０から暗証コードを入力してからドアを閉めた場合には一時外出暗証コードとして取り扱う運用もある。帰宅時はドアの外にあるコード入力手段１１０に対して暗証コードを入力すると、外出時にクローズ暗証コードが入力された場合はオープン暗証コードとして入力され、外出時に一時外出暗証コードが入力された場合は一時外出解除暗証コードとして入力される。【００９７】
その他にも、例えば、無線式の電子キーを用いる場合も想定できる。例えば、無線式の電子キーにメインボタンと一時外出ボタンなどを設けておき、メインボタンはオープン暗証コードおよびクローズ暗証コードに対応する信号を送受信し、一時外出ボタンは一時外出暗証コードおよび一時外出解除暗証コードに対応する信号を送受信するものでも良い。【００９８】
図１０〜図１４は、一時的な外出時における住宅の諸機能２００の制御の流れ、住宅の諸機能２００の制御が切り替わる流れを簡単に示した図である。
図１０〜図１４に示した構成要素は、概ね図１に示したものと同様であるが、住宅利用支援アプリケーション１２０において、アプリケーションファイル一時外出/解除機能１２５が設けられており、住宅利用支援アプリケーションファイル１３０に一時外出暗証コード１３３、一時外出解除暗証コード１３４が設けられている点が異なっている。【００９９】
図１０に示すように、居住者が一時的に外出する際に、コード入力手段１１０に対して、一時外出暗証コードを入力する。
アプリケーションファイル一時外出/解除機能１２５は、入力された一時外出暗証コードを住宅利用支援アプリケーションファイル１３０の一時外出暗証コード１３３と認証を行う。ここでは認証が成功したものとする。【０１００】
次に、図１１に示すように、アプリケーションファイル一時外出/解除機能１２５が、住宅諸機能制御機能１２２を介して一時外出モードとすべく命令を出す。
この例では、常時稼働となっている蓄電装置管理機能２５０、食料貯蔵管理機能２６０、ガス電気水道管理機能２６１、安否確認管理機能の２６２、動植物管理機能２６３、センシングデータ収集機能２８０はそのまま稼働状態が維持され、また、居住時にオンとなっているバスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０のオン状態は維持される。
一方、居住中にはオフとなっていたドアロック開閉機能２１０、防犯セキュリティ管理機能２２０、車庫管理機能２３０、宅配ボックス管理機能２４０が稼働状態に切り替わる。つまり、一時的な外出だとしても居住していないので、これらの機能の稼働は必要となるからである。【０１０１】
次に、図１２に示すように、一時外出中において稼働状態となっているそれぞれの諸機能から発生した利用ログデータが利用ログデータ収集機能１２３により収集され、ファイルデータ部１３２に記録される。【０１０２】
次に、利用者が一時的な外出から帰宅すると、図１３に示すように、コード入力手段１１０から一時外出解除暗証コードを入力する。
アプリケーションファイル一時外出/解除機能１２５は、入力された一時外出解除暗証コードを住宅利用支援アプリケーションファイル１３０の一時外出解除暗証コード１３４と認証を行う。ここでは認証が成功したものとする。【０１０３】
次に、図１４に示すように、アプリケーションファイル一時外出/解除機能１２５が、住宅諸機能制御機能１２２を介して一時外出モードを解除すべく命令を出す。
この例では、常時稼働となっている蓄電装置管理機能２５０、食料貯蔵管理機能２６０、ガス電気水道管理機能２６１、安否確認管理機能の２６２、動植物管理機能２６３、センシングデータ収集機能２８０はそのまま稼働状態が維持される。また、居住時にオンとなるバスユニット管理機能２６４、トイレ付設健康管理機能２６５、コンシェルジュ機能２６６、人工知能アシスタント機能２６７、照明・空調システム制御機能２６８、オーディオビジュアル機器制御機能２６９、課金処理機能２７０のオン状態は維持される。
一方、居住中にはオフとなるべきドアロック開閉機能２１０、防犯セキュリティ管理機能２２０、車庫管理機能２３０、宅配ボックス管理機能２４０が未稼働状態に切り替わる。つまり、一時的な外出から帰宅して再び居住状態になったので、これらの機能の稼働はオフに切り替えられ、図５の状態に戻る。【０１０４】
なお、上記では一時外出モードを設けて住宅の諸機能２００のオンオフの切り替え制御を行う運用として説明したが、アプリケーションファイル一時外出/解除機能１２５が住宅諸機能制御機能１２２を介して、ドアロック開閉機能２１０のみの稼働状態を変更するが、その他の諸機能の稼働状態を変更しないという運用も可能である。【０１０５】
次に、利用ログデータの提供について述べる。上記したように、住宅の利用で発生する利用ログデータは、住宅の諸機能２００から利用ログデータ収集機能１２３で収集され、データ入出力機能１２４でファイルデータ部１３２に記録されるが、それらの利用ログデータを外部システムに提供することも可能である。【０１０６】
図１５は、暗号化した利用ログデータを外部システムへ提供する流れを簡単に示した図である。
図１５には外部システムは図示されていないが、例えば、住宅デベロッパーが運用するシステムや、個人情報信託銀行が運用するシステムなどがある。これら外部システムは限定されない。近年、個人の生活パターンや趣味趣向に関するデータなどがビッグデータとして活用され、さまざまなサービス提供などに活用され始めているが、本発明の住宅利用支援システム１００で集積される住宅の諸機能２００に関する利用ログデータも利用価値は高い。そこで、それら利用ログデータを求める者に対して提供することも可能である。【０１０７】
なお、利用ログデータの提供にあたり、居住者が利用ログデータの外部への提供の同意・承諾、利用ログデータのうち外部へ提供するものとしないものの取捨選択などができるよう、利用ログデータの提供に際して利用者のスマートフォンなどの通信機能付き機器を介して指定入力できるようにすることが好ましい。【０１０８】
次に、データの暗号化について述べる。利用ログデータを外部システムに提供する際、利用ログデータは個人データでもあるので、暗号化されていることが好ましい。例えば、本発明の住宅利用支援システム１００が暗号処理部１２７を備え、データの入出力にあたって、暗号化や復号化の処理ができる構成があり得る。この実施例１では、データ入出力機能１２４が暗号処理部１２７を備え、利用ログデータの入出力に際して暗号処理を制御できる仕組みとなっている。【０１０９】
なお、利用ログデータの暗号化処理には幾つかのパターンがある。
例えば、住宅の諸機能２００から利用ログデータ収集機能１２３で収集され、データ入出力機能１２４でファイルデータ部１３２に記録されるが、その記録の際に暗号処理部１２７を介して暗号化してからファイルデータ部１３２に記録する方式がある。つまり、ファイルデータ部１３２に平文の利用ログデータが集積されるのではなく、暗号化された利用ログデータが集積される方式である。この方式であれば、外部システムからの要求に応じて利用ログデータを提供する際には、その暗号化した利用ログデータを提供すれば良い。外部システムにおいて復号できるよう、復号鍵は別途別送するなどの工夫が必要である。【０１１０】
他の方式としては、住宅の諸機能２００から利用ログデータ収集機能１２３で収集され、データ入出力機能１２４でファイルデータ部１３２に記録されるが、その記録の際には暗号化せず、平文のまま記録しておき、外部システムの要求に応じて提供する際に、暗号処理部１２７を介して暗号化してから外部システムへ提供する方式があり得る。つまり、ファイルデータ部１３２には平文の利用ログデータが集積されているが、外部に提供する際に利用ログデータが暗号化され、暗号化された利用ログデータが外部システムへ提供される方式である。この方式でも外部システムにおいて復号できるよう、復号鍵は別途別送するなどの工夫が必要である。
なお、暗号化処理、外部システムでの復号化処理については、多種多様な技術があり得るので、適宜選択して利用すれば良い。
【実施例２】
【０１１１】
実施例２は、住宅利用支援アプリケーションファイル１３０または住宅利用支援アプリケーションデータ管理単位１３０として、居住時用のものと、外出時用のものを備えた構成の場合について説明する。
実施例１では、住宅利用支援アプリケーションファイル１３０が１種類の場合を基本構成例として説明したが、実施例２では、住宅利用支援アプリケーションファイル１３０が居住時用のものと外出時用のものの２種類を備えた構成とした例である。
また、実施例２として、また、利用者が複数いる場合に利用者ごとに住宅利用支援アプリケーションファイル１３０または住宅利用支援アプリケーションデータ管理単位１３０を用意する構成についても説明する。【０１１２】
実施例１に示したように、住宅の諸機能２００の中には常時稼働の機能、外出時にはオフで居住時にオンとなる機能、外出時にはオンで居住時にオフとなる機能などがあり得るが、オープン処理、クローズ処理をきっかけとしてオンとオフが入れ替わる機能がある。実施例１の例ではクローズ処理と連動してアプリケーションファイル閉錠機能１２６がファイルデータ部１３２に記録されている利用ログデータを確定、終了する処理を説明したが、外出時にはオンで居住時にオフとなる機能はむしろドアロックを開錠すべくコード入力手段１１０から暗証コードを入力した際に、アプリケーションファイル開錠機能１２１によるオープン処理と並行して、その暗証コードがアプリケーションファイル閉錠機能１２６にも渡され、アプリケーションファイル閉錠機能１２６よるクローズ処理が実行されることが好ましい。
そこで、居住時用の住宅利用支援アプリケーションファイル１３０ａまたは住宅利用支援アプリケーションデータ管理単位１３０ａのみならず、外出時用の住宅利用支援アプリケーションファイル１３０ｂまたは住宅利用支援アプリケーションデータ管理単位１３０ｂをそれぞれ設けた構成例である。【０１１３】
以下、住宅利用支援アプリケーションデータ管理単位１３０ａ、住宅利用支援アプリケーションデータ管理単位１３０ｂの説明は省略する。
図１６は、ある暗証コードＡを入力した際、居住時用の住宅利用支援アプリケーションファイル１３０ａを開くためのオープン暗証コードとして処理される一方、外出時用の住宅利用支援アプリケーションファイル１３０ｂを閉じるためのクローズ暗証コードとして機能する例を示す図である。なお、図１６では、住宅利用支援アプリケーション１２０については一部のみを取り出して示している。
ある暗証コードＡが、居住時用に稼働する住宅利用支援アプリケーションファイル１３０ａを開くためのオープン暗証コードであるとともに、外出時用の住宅利用支援アプリケーションファイル１３０ｂを正常終了して閉じるためのスイッチ用クローズ暗証コードとなっている。【０１１４】
図１６に示すように、コード入力手段１１０に対して暗証コードＡを入力すると、アプリケーションファイル開錠機能１２１とアプリケーションファイル閉錠機能１２６に渡され、アプリケーションファイル開錠機能１２１が居住時用に稼働する住宅利用支援アプリケーションファイル１３０ａのオープン処理を実行する一方、アプリケーションファイル閉錠機能１２６が外出時用の住宅利用支援アプリケーションファイル１３０ｂのクローズ処理を実行して正常終了し、稼働する住宅の諸機能２００が入れ替わる。実施例１の図８に示した流れにより外出時に蓄積された利用ログデータであるファイルデータ部１３２ｂの内容が承認、確定される。
その後、実施例１に示した図５から図６までの流れにより、住宅諸機能制御機能１２２により常時稼働および居住時稼働の機能が制御され、利用ログデータ収集機能１２３により利用ログデータが収集され、居住時用に稼働する住宅利用支援アプリケーションファイル１３０ａのファイルデータ部１３２ａに対して利用ログデータが記録されてゆく。【０１１５】
図１７は、ある暗証コードＢを入力した際、居住時用の住宅利用支援アプリケーションファイル１３０ａを閉じるためのクローズ暗証コードとして処理される一方、外出時用の住宅利用支援アプリケーションファイル１３０ｂを開くためのオープン暗証コードとして機能する例を示す図である。図１７においても、住宅利用支援アプリケーション１２０については一部のみを取り出して示している。
ある暗証コードＢが、居住時用に稼働する住宅利用支援アプリケーションファイル１３０ａを閉じるためのスイッチ用クローズ暗証コードであるとともに、外出時用の住宅利用支援アプリケーションファイル１３０ｂを開くためのオープン暗証コードとなっている。【０１１６】
図１７に示すように、コード入力手段１１０に対して暗証コードＢを入力すると、アプリケーションファイル開錠機能１２１とアプリケーションファイル閉錠機能１２６に渡され、アプリケーションファイル開錠機能１２１が外出時用に稼働する住宅利用支援アプリケーションファイル１３０ｂのオープン処理を実行して開く一方、アプリケーションファイル閉錠機能１２６が居住時用の住宅利用支援アプリケーションファイル１３０ａのクローズ処理を実行して正常終了し、稼働する住宅の諸機能２００が入れ替わる。実施例１の図８に示した流れにより居住時に蓄積された利用ログデータであるファイルデータ部１３２ａの内容が承認、確定される。
その後、実施例１に示した図５から図６までの流れにより、住宅諸機能制御機能１２２により常時稼働および居住時稼働の機能が制御され、利用ログデータ収集機能１２３により利用ログデータが収集され、外出時用に稼働する住宅利用支援アプリケーションファイル１３０ｂのファイルデータ部１３２ｂに対して利用ログデータが記録されてゆく。【０１１７】
次に、利用者が複数いる場合に利用者ごとに住宅利用支援アプリケーションファイル１３０または住宅利用支援アプリケーションデータ管理単位１３０を用意する構成についても説明する。
図１８は、利用者ごとに住宅利用支援アプリケーションファイル１３０または住宅利用支援アプリケーションデータ管理単位１３０を設けた構成例である。
図１８の例では、居住者１用のファイル１３０−１、居住者２用のファイル１３０−２、居住者３用のファイル１３０−３をそれぞれ用意した構成を示している。図１８に示すように、コード入力手段１１０に対して、居住者１の暗証コードが入力されると、図１６および図１７に示したように、アプリケーションファイル開錠機能１２１とアプリケーションファイル閉錠機能１２６に渡され、居住者１用のファイル１３０−１に対するコードとなり、それぞれ居住者１用のファイル１３０−１の居住時用の住宅利用支援アプリケーションファイル１３０ａおよび外出時用の住宅利用支援アプリケーションファイル１３０ｂに対するオープン処理、クローズ処理が行われる。同様に、居住者２の暗証コード、居住者３の暗証コードが入力されるとそれぞれ居住者２用のファイル１３０−２、居住者３用のファイル１３０−３の居住時用の住宅利用支援アプリケーションファイル１３０ａおよび外出時用の住宅利用支援アプリケーションファイル１３０ｂに対するオープン処理、クローズ処理が行われる。【０１１８】
例えば、家族を想定すると、父親用のファイル１３０−１、母親用のファイル１３０−２、子供用のファイル１３０−３、家族共通用ファイル１３０−４があり、父親による住宅の諸機能の利用ログデータがファイル１３０−１に記録され、母親による住宅の諸機能の利用ログデータがファイル１３０−２に記録され、子供による住宅の諸機能の利用ログデータがファイル１３０−１３に記録され、家族共通の住宅の諸機能の利用については利用ログデータがファイル１３０−４に記録される。【０１１９】
例えば、シェアオフィスのような住居であれば、３人の住居のシェアの運用例で言えば、居住者Ａ用のファイル１３０−１、居住者Ｂ用のファイル１３０−２、居住者Ｃ用のファイル１３０−３、共用設備などの居住者共用のファイル１３０−４が設けられ、それぞれの居住者の利用ログデータはそれぞれの居住者用のファイルに記録され、居住者共通の住宅の諸機能の利用については利用ログデータがファイル１３０−４に記録される。
【実施例３】
【０１２０】
実施例３にかかる本発明の住宅利用支援システム１００ａについて説明する。
実施例３の住宅利用支援システム１００ａは、住宅利用支援システム１００ａをクラウドシステムに装備する第２のパターンである。図１９に示す通り、第２のパターンのシステム構成は、住宅利用支援アプリケーション１２０、住宅利用支援アプリケーションファイル１３０が、住宅外のコンピュータリソース（例えば、クラウドサービスなどネットワーク経由でデータ送受信可能なリソース）に設けられており、コード入力手段１１０が住宅の一部で外部からアクセス可能な箇所または利用者が保持する携帯端末に設けられた構成であり、それぞれがネットワークを介して住宅内の諸機能を制御できる構成である。【０１２１】
この第２のパターンでも、利用者が外部からコード入力手段に対してアクセスし、利用者がオープン暗証コードを入力することにより、住宅利用支援アプリケーションファイル１３０が開くとともに、住宅の諸機能への制御を開始させることが可能となるが、第１のパターンと異なる点は、住宅利用支援アプリケーションファイル１３０が、ネットワークを介したクラウド上に格納されており、クラウドサービスを通じて、住宅の諸機能が稼働し、住宅利用支援アプリケーションファイル１３０に記載された住宅の諸機能のカスタマイズ設定がなされ、利用に伴う利用ログデータを収集、記録する準備が整うこととなる。【０１２２】
図１９は、実施例３にかかる住宅利用支援システム１００ａの構成を簡単に示した図である。なお、この例では、図１９には、住宅利用支援システム１００ａのほか、住宅２００および住宅の諸機能２１０〜２８０も併せて示されている。
受信端末２９１はクラウドシステムとの通信規格に準じた通信機能を装備したものとし、ネットワーク上でデータのやり取りが可能なものとする。【０１２３】
基本的には、制御の流れは実施例１と同様であるが、異なる点としては、データのやり取りがネットワークを経由してクラウド上の住宅利用支援アプリケーション１２０および住宅利用支援アプリケーションファイル１３０と住宅の諸機能２００との間で実行される点である。つまり、図３に示した（２）住宅利用支援アプリケーションファイル１３０の開錠は、コード入力手段１１０を介して入力されたオープン暗証コードがネットワークを経由してクラウド上の住宅利用支援アプリケーション１２０および住宅利用支援アプリケーションファイル１３０において認証がされ、認証が成立すると、ネットワークを経由して住宅諸機能制御機能１２２によりドアロック開閉機能２１０が制御される。同様に、その後の流れである図５に示した（４）住宅の諸機能のアクティブ化、図６に示した（５）住宅の諸機能の利用、図７および図８に示した（６）利用終了もデータのやり取りがネットワークを経由してクラウド上の住宅利用支援アプリケーション１２０および住宅利用支援アプリケーションファイル１３０と住宅の諸機能２００との間で実行される。
【実施例４】
【０１２４】
実施例４にかかる本発明の住宅利用支援システムについて説明する。
実施例４の住宅利用支援システム１００ｂは、利用者が保持するスマートフォンなど通信機能付き機器に装備する第３のパターンであり、図２０に示すとおり、住宅利用支援アプリケーション１２０、住宅利用支援アプリケーションファイル１３０、コード入力手段１１０が利用者が保持する携帯端末３００に設けられ、住宅の諸機能２００に対して携帯端末３００から送信された信号を受信する受信装置２９１が装備された構成である。
この第３のパターンのシステム構成において、オープン認証コード、クローズ認証コードが生体情報である場合、携帯端末３００に生体情報読み取りデバイスが装備されており、携帯端末３００を用いて生体情報を読み込み、携帯端末３００内でオープン認証コード、クローズ認証コードを生成し、住宅内の受信装置２９１に対して送信することでオープン認証コード、クローズ認証コードの入力を行うことができる。
受信端末２９１は携帯端末３００の通信規格に準じた通信機能を装備したものとし、携帯端末３００とのデータのやり取りが可能なものとする。【０１２５】
図２０は、実施例４にかかる住宅利用支援システム１００ｂの構成を簡単に示した図である。なお、図２０には、住宅利用支援システム１００ｂのほか、住宅の諸機能２１０〜２７０、さらに、受信装置２９１も併せて示されている。また、住宅２００のほか、利用者の携帯端末３００も図示されている。
住宅利用支援システム１００ｂへの各操作が、利用者の携帯端末３００を介して入出力され、受信装置２９１を介して住宅の諸機能とやり取りされる点以外は実施例１と同じ構成、同じ運用で良い。【０１２６】
この第３のパターンのシステム構成であれば、利用者が携帯端末のコード入力手段に対してアクセスすることにより、住宅利用支援アプリケーションが自動的に起動され、さらに、利用者がオープン暗証コードを入力することにより、住宅利用支援アプリケーションファイル１３０が開くとともに、受信装置２９１を介した通信により住宅の諸機能２００への制御を開始させることが可能となる。
つまり、図２から図１８で示した住宅利用支援システム１００による住宅２００の諸機能の制御の例は、受信装置２９１を介して携帯端末３００と住宅の諸機能がデータをやり取りする流れ以外は同じで良い。
ここで、携帯端末３００の操作に注目して説明を追加する。【０１２７】
図２１から図２２は、携帯端末３００の画面を介した操作の流れを簡単に示す図である。例としてスマートフォンとする。
利用者はスマートフォン３００を操作して住宅利用支援アプリケーション１２０のアイコンを選択する（図２１（１）−１）。
さらに、住宅利用支援アプリケーションファイル１３０を選択する（図２１（１）−２）。【０１２８】
次に、スマートフォン３００の画面にオープン暗証コードの入力ガイダンス画面が提示される（図２１（２）−１）。
利用者は、コード入力手段１１０に対してオープン暗証コードを入力する。ここでは、スマートフォン３００の指紋リーダーに対して親指を関節側から押し当ててそのまま指先まで下側に擦ってスキャンすることにより親指の指紋パターンを入力し、オープン暗証コードの入力とする（図２１（２）−２）。
次に、アプリケーションファイル開錠機能１２１がオープン暗証コードを認証し、認証に成功すれば、住宅利用支援アプリケーションファイル１３０が開く（図２１（２）−３）。【０１２９】
次に、住宅利用支援アプリケーション１２０の住宅諸機能制御機能１２２により、住宅利用支援アプリケーションファイル１３０のファイルデータ部１３２からデータを読み出して住宅の諸機能に対して制御を行う。ドアロックを解除し（図２１（３））、その他の住宅の諸機能をアクティブ化する（図２１（４））。【０１３０】
次に、住宅諸機能の変更の画面が表示され、必要に応じて調整、変更内容を追加する（図２１（５））。
利用者が住宅の諸機能の利用を開始する（図２１（６））。
利用ログデータ収集機能１２３は、住宅の諸機能２１０〜２７０から利用ログデータを収集する（図２１（７）。【０１３１】
最後に、利用者が外出することとし、住宅の諸機能の利用を停止し、鍵を掛けて外出しようとする。
スマートフォン３００に住宅利用支援システムの終了画面が表示され、利用者が終了する旨のボタンを押下すると（図２２（８）−１）、今回の住宅利用に関する内容、課金料金などの利用ログデータを携帯端末３００の画面に表示し、その内容で間違いがないか確認を促すガイダンスが表示され、“承認”を選択した場合（図２２（８）−２）、引き続きスマートフォン３００にクローズ暗証コードの入力のガイダンス画面が表示され（図２２（８）−３）、利用者はスマートフォン３００のコード入力手段１１０からクローズ暗証コードを入力する。ここでは、スマートフォン３００の指紋リーダーに対して親指を指先から押し当ててそのまま関節側まで擦ってスキャンすることによりクローズ暗証コードを入力する（図２２（８）−４）。【０１３２】
クローズ暗証コードの入力の結果、アプリケーションファイル閉錠機能１２６がクローズ暗証コードを認証し、認証に成功すれば、アプリケーションファイル閉錠機能１２６が、住宅利用支援アプリケーションファイル１３０のファイルデータ部１３２に記録された今回の利用にかかる利用ログデータを承認、確定して、データ入出力機能１２４を介して記録し、正常終了して閉じる（図２２（８）−５）。
最後に、住宅利用支援システム１００ｂが正常に終了したことを示すガイダンス画面が表示されて終了する（図２２（８）−６）。【０１３３】
以上、本発明の住宅利用支援システム１００の構成例における好ましい実施形態を図示して説明してきたが、処理の流れは前後して入れ替わっても良く、また他の機能が付加されていても良く、本発明の技術的範囲を逸脱することなく種々の変更が可能であることは理解されるであろう。
【産業上利用可能性】
【０１３４】
本発明は、住宅で利用される住宅利用支援システムに広く適用され、ホームエレクトロニクスシステムなどとも融合可能であり、多様な住宅用のシステムに適用できる。
【符号の説明】
【０１３５】
１００  住宅利用支援システム
１１０  コード入力手段
１２０  住宅利用支援アプリケーション
１３０  住宅利用支援アプリケーションファイル
２００  住宅
２１０  ドアロック開閉機能
２２０  防犯セキュリティ管理機能
２３０  人工知能アシスタント機能
２４０  蓄電装置管理機能
２５０  バスユニット管理機能
２６０  食料貯蔵庫管理機能
２６１  トイレ付設健康管理機能
２６２  宅配ボックス管理機能
２６８  照明・空調システム制御機能
２６９  オーディオビジュアル機器制御機能
２７０  課金処理機能
２９１  受信端末
３００  携帯端末
【図１】
2020049749.tif 000003
【図２】
2020049749.tif 000004
【図３】
2020049749.tif 000005
【図４】
2020049749.tif 000006
【図５】
2020049749.tif 000007
【図６】
2020049749.tif 000008
【図７】
2020049749.tif 000009
【図８】
2020049749.tif 000010
【図９】
2020049749.tif 000011
【図１０】
2020049749.tif 000012
【図１１】
2020049749.tif 000013
【図１２】
2020049749.tif 000014
【図１３】
2020049749.tif 000015
【図１４】
2020049749.tif 000016
【図１５】
2020049749.tif 000017
【図１６】
2020049749.tif 000018
【図１７】
2020049749.tif 000019
【図１８】
2020049749.tif 000020
【図１９】
2020049749.tif 000021
【図２０】
2020049749.tif 000022
【図２１】
2020049749.tif 000023
【図２２】
2020049749.tif 000024
【図２３】
2020049749.tif 000025
【図２４】
2020049749.tif 000026
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
住宅に装備された諸機能の利用を支援する住宅利用支援アプリケーションと、
前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは前記住宅利用支援アプリケーションデータ管理単位を開くためのオープン暗証コードと、前記住宅利用支援アプリケーションで開いた前記住宅利用支援アプリケーションファイルまたは前記住宅利用支援アプリケーションデータ管理単位を正常終了して閉じるためのクローズ暗証コードが設定された住宅利用支援アプリケーションファイルまたは住宅利用支援アプリケーションデータ管理単位と、
利用者からのコード入力手段を介した前記オープン暗証コードの入力を受けて前記住宅利用支援アプリケーションファイルまたは前記住宅利用支援アプリケーションデータ管理単位を開くアプリケーションファイル開錠機能と、
前記利用者からの前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠機能を備えたことを特徴とする住宅利用支援システム。
【請求項２】
前記住宅に装備された諸機能が、コンピュータ制御が可能な機能であり、ドアロック開閉機能、防犯セキュリティ管理機能、動植物管理機能、車庫管理機能、宅配ボックス管理機能、蓄電装置管理機能、食料貯蔵庫管理機能、ガス電気水道管理機能、安否確認機能、バスユニット管理機能、トイレ付設健康管理機能、コンシェルジュ機能、人工知能アシスタント機能、照明空調システム制御機能、オーディオビジュアル機器制御機能、課金処理機能、各種センサによるセンシングデータ収集機能のいずれかまたはそれらの組み合わせを含むものである請求項１に記載の住宅利用支援システム。
【請求項３】
前記住宅利用支援アプリケーションが、
前記住宅に装備された前記諸機能に指示を与える住宅諸機能制御機能と、
前記住宅の利用に際して生じる利用ログデータを、前記住宅単位または前記住宅の利用者単位に分類、または未分類のまま収集する利用ログデータ収集機能と、
前記住宅利用支援アプリケーションファイルまたは前記住宅利用支援アプリケーションデータ管理単位に対して前記利用ログデータ収集機能により収集したデータの入出力を行うデータ入出力機能を備えたことを特徴とした請求項２に記載の住宅利用支援システム。
【請求項４】
前記クローズ暗証コードの入力を受けて、前記アプリケーションファイル閉錠機能が、前記住宅利用支援アプリケーションファイルまたは前記住宅利用支援アプリケーションデータ管理単位に前記利用ログデータ収集機能により収集した前記利用ログデータを確定して格納し、正常終了して閉じることを特徴とする請求項３に記載の住宅利用支援システム。
【請求項５】
前記住宅に装備された前記諸機能のうち、常時稼働しているもの、利用者の外出時に稼働するもの、前記利用者の居住時に稼働するものがあり、稼働中に前記利用ログデータ収集機能により収集した前記利用ログデータが前記住宅利用支援アプリケーションファイルまたは前記住宅利用支援アプリケーションデータ管理単位に格納されることを特徴とする請求項４に記載の住宅利用支援システム。
【請求項６】
前記住宅に装備された前記諸機能のうち、前記常時稼働にかかるものが前記蓄電装置管理機能、前記食料貯蔵庫管理機能、前記ガス電気水道管理機能、前記安否確認機能、前記各種センサによるセンシングデータ収集機能のいずれかまたはそれらの組み合わせを含むものであり、
前記住宅に装備された前記諸機能のうち、前記利用者の外出時に稼働するものが、前記ドアロック開閉機能、前記防犯セキュリティ管理機能、前記車庫管理機能、前記宅配ボックス管理機能のいずれかまたはそれらの組み合わせを含むものであり、
前記住宅に装備された前記諸機能のうち、前記利用者の居住時に稼働するものが、前記バスユニット管理機能、前記トイレ付設健康管理機能、前記コンシェルジュ機能、前記人工知能アシスタント機能、前記照明空調システム制御機能、前記オーディオビジュアル機器制御機能、前記課金処理機能のいずれかまたはそれらの組み合わせを含むものであることを特徴とする請求項５に記載の住宅利用支援システム。
【請求項７】
前記住宅利用支援アプリケーションファイルまたは前記住宅利用支援アプリケーションデータ管理単位が、居住時用のものと、外出時用のものがあり、
前記居住時用の住宅利用支援アプリケーションファイルまたは前記居住時用の住宅利用支援アプリケーションデータ管理単位の前記オープン暗証コードが、前記外出時用の住宅利用支援アプリケーションファイルまたは前記外出時用の住宅利用支援アプリケーションデータ管理単位のクローズ暗証コードであり、
前記居住時用の住宅利用支援アプリケーションファイルまたは前記居住時用の住宅利用支援アプリケーションデータ管理単位の前記クローズ暗証コードが、前記外出時用の住宅利用支援アプリケーションファイルまたは前記外出時用の住宅利用支援アプリケーションデータ管理単位のオープン暗証コードであり、
前記オープン暗証コードの入力により、居住時用に稼働する前記住宅利用支援アプリケーションファイルまたは前記住宅利用支援アプリケーションデータ管理単位が開き、前記外出時用の住宅利用支援アプリケーションファイルまたは前記外出時用の住宅利用支援アプリケーションデータ管理単位が正常終了して閉じることにより、稼働するものが入れ替わり、
前記クローズ暗証コードの入力により、居住時用に稼働する前記住宅利用支援アプリケーションファイルまたは前記住宅利用支援アプリケーションデータ管理単位が正常終了し、前記外出時用の住宅利用支援アプリケーションファイルまたは前記外出時用の住宅利用支援アプリケーションデータ管理単位が開くことにより、稼働するものが入れ替わることを特徴とする請求項５または６に記載の住宅利用支援システム。
【請求項８】
前記バスユニット管理機能、前記トイレ付設健康管理機能、前記コンシェルジュ機能、前記課金処理機能は、使用に際して、前記利用者を特定するＩＤ情報を入力することで前記利用者と当該機能が紐づいて稼働するものであることを特徴とする請求項５に記載の住宅利用支援システム。
【請求項９】
前記住宅の前記利用者が複数人いる場合、前記住宅利用支援アプリケーションファイルまたは前記住宅利用支援アプリケーションデータ管理単位が、前記住宅共用のものと、各々の前記利用者ごとのものがあり、前記住宅共用の前記利用ログデータ、各々の前記利用者ごとの前記利用ログデータがそれぞれ蓄積されるものであることを特徴とする請求項８に記載の住宅利用支援システム。
【請求項１０】
前記住宅諸機能制御機能が、前記住宅利用支援アプリケーションファイルまたは前記住宅利用支援アプリケーションデータ管理単位に入力されているデータに従って前記住宅諸機能の稼働状態をカスタマイズ設定できることを特徴とする請求項３に記載の住宅利用支援システム。
【請求項１１】
前記住宅のドアの開閉において、前記ドアの外側から施錠するものが前記クローズ暗証コードと対応し、前記ドアの外側から開錠するものが前記オープン暗証コードと対応し、前記ドアの内側から施錠するものは前記クローズ暗証コードとは対応せず、前記ドアの内側から開錠するものが前記オープン暗証コードと対応とは対応しないものであることを特徴とする請求項１から１０のいずれかに記載の住宅利用支援システム。
【請求項１２】
前記オープン暗証コードおよび前記クローズ暗証コードに加え、一時外出暗証コードおよび一時外出解除暗証コードが設けられており、
前記住宅利用支援アプリケーションがアプリケーションファイル一時外出−解除機能を備え、
前記住宅のドアの開閉において、前記一時外出暗証コードが入力された場合、前記アプリケーションファイル一時外出−解除機能が、前記住宅諸機能制御機能を介して、前記住宅に装備された前記諸機能のうち、前記常時稼働しているものおよび前記利用者の居住時に稼働していたものはそのまま維持し、前記利用者の外出時に稼働するものは稼働状態に切り替える運用とし、
前記一時外出解除暗証コードが入力された場合、前記アプリケーションファイル一時外出−解除機能が、前記住宅に装備された前記諸機能のうち、前記常時稼働しているものおよび前記利用者の居住時に稼働していたものはそのまま維持し、前記利用者の外出時に稼働するよう前記稼働状態に切り替えられたものはオフ状態とすることを特徴とする請求項５から９のいずれかに記載の住宅利用支援システム。
【請求項１３】
前記オープン暗証コードおよび前記クローズ暗証コードに加え、一時外出暗証コードおよび一時外出解除暗証コードが設けられており、
前記住宅利用支援アプリケーションがアプリケーションファイル一時外出−解除機能を備え、
前記住宅のドアの開閉において、前記一時外出暗証コードが入力された場合、前記アプリケーションファイル一時外出−解除機能が、前記住宅諸機能制御機能を介して、前記ドアロック開閉機能のみの稼働状態を変更するが、その他の前記諸機能の稼働状態を変更しない運用とすることを特徴とする請求項４から９のいずれかに記載の住宅利用支援システム。
【請求項１４】
前記住宅利用支援アプリケーション、および、前記住宅利用支援アプリケーションファイルまたは前記住宅利用支援アプリケーションデータ管理単位が、前記住宅内のコンピュータリソースに設けられており、前記コード入力手段が前記住宅の一部で外部からアクセス可能な箇所または前記利用者が保持する通信機能付き機器に設けられた構成であり、
前記利用者が外部から前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記住宅の前記諸機能への制御を開始させることを特徴とする請求項１から１３のいずれかに記載の住宅利用支援システム。
【請求項１５】
前記住宅利用支援アプリケーション、および、前記住宅利用支援アプリケーションファイルまたは前記住宅利用支援アプリケーションデータ管理単位が、前記住宅外のコンピュータリソースに設けられており、前記コード入力手段が前記住宅の一部で外部からアクセス可能な箇所または前記利用者が保持する通信機能付き機器に設けられた構成であり、それぞれがネットワークを介して前記住宅内の前記諸機能を制御できる構成であり、
前記利用者が外部から前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記住宅の前記諸機能への制御を開始させることを特徴とする請求項１から１３のいずれかに記載の住宅利用支援システム。
【請求項１６】
前記住宅利用支援アプリケーション、前記住宅利用支援アプリケーションファイルまたは前記住宅利用支援アプリケーションデータ管理単位、および、前記コード入力手段が前記利用者が保持する通信機能付き機器に設けられ、前記住宅内のコンピュータリソースに前記通信機能付き機器から送信された信号を受信する受信装置が装備された構成であり、
前記利用者が前記通信機能付き機器の前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記受信装置を介した通信により、前記住宅の前記諸機能への制御を開始させることを特徴とする請求項１から１３のいずれかに記載の住宅利用支援システム。
【請求項１７】
前記課金処理機能が連動する外部のシステムが、前記人工知能アシスタント機能を介して取引した宅配商品の料金収受システム、定期購買商品の料金収受システム、家賃の料金収受システム、不動産付属の共有設備利用の料金収受システム、公共料金の料金収受システム、コンテンツデータ利用料金収受システムのいずれかまたはそれらの組み合わせを含むシステムであることを特徴とする請求項４から９に記載の住宅利用支援システム。
【請求項１８】
前記利用者が保持する通信機能付き機器に、前記住宅利用支援アプリケーションに対する遠隔操作アプリケーションを備え、
前記住宅利用支援アプリケーションが、
前記ドアロック開閉機能が作動状態になった場合に、前記遠隔操作アプリケーションに対して、前記ドアロック開閉機能以外の前記諸機能を実行させても良いか否かの承認情報の送信をリクエストするリクエスト情報を発信するリクエスト情報発信機能と、
前記遠隔操作アプリケーションから送信された前記承認情報を受けるまでは前記ドアロック開閉機能以外の前記諸機能の実行をロックする住宅諸機能ロック機能と、
前記遠隔操作アプリケーションから送信される前記承認情報を受けると前記ドアロック開閉機能以外の前記諸機能の実行をアンロックする住宅諸機能アンロック機能を備え、
前記利用者が前記遠隔操作アプリケーションを介して、前記住宅利用支援アプリケーションの前記リクエスト情報発信機能の設定および解除が可能である請求項２から１７のいずれかに記載の住宅利用支援システム。
【請求項１９】
前記住宅利用支援アプリケーションで利用される各々の前記住宅利用支援アプリケーションファイルまたは前記住宅利用支援アプリケーションデータ管理単位が前記利用者別の個人単位に個人フォルダまたは個人別データ管理単位にまとめられており、
前記住宅利用支援アプリケーションで利用される各々の前記個人フォルダまたは前記個人別データ管理単位に、前記住宅利用支援アプリケーションで前記個人フォルダまたは前記個人別データ管理単位を開くための個人フォルダオープン暗証コードまたは個人別データ管理単位オープン暗証コードと、前記住宅利用支援システムで開いた前記個人フォルダまたは前記個人別データ管理単位を閉じるための個人フォルダクローズ暗証コードまたは個人別データ管理単位が設定されたものであることを特徴とする請求項１から１８のいずれかに記載の住宅利用支援システム。
【請求項２０】
前記オープン暗証コードおよび前記クローズ暗証コードが、あらかじめ登録された前記利用者の生体情報であることを特徴とする請求項１から１９のいずれかに記載の住宅利用支援システム。
【請求項２１】
前記生体情報が指紋パターンであり、前記指紋パターンの入力データとして、指紋読み取り部を用いて入力した該当する指の指紋パターンの画像データと、前記指紋読み取り部に対する前記指のスキャン方向を示すスキャン方向データが含まれていることを特徴とする請求項２０に記載の住宅利用支援システム。
【請求項２２】
前記住宅が、マンションの各住戸、大規模タワーマンションの各住戸、戸建て住宅、アパート集合住宅、オフィスビルの各部屋、ログハウス、組立家屋、シェアハウス、ホテル、旅館、レンタルルームのいずれかまたはそれらの利用区画を含むものである請求項１から２１のいずれかに記載の住宅利用支援システム。
【請求項２３】
前記利用ログデータを暗号化する暗号処理部を備え、
前記データ入出力機能が、前記暗号処理部により暗号化された前記利用ログデータを入出力することを特徴とする請求項３から１０、１２、１３または１７のいずれかに記載の住宅利用支援システム。
【請求項２４】
住宅の機能の利用を支援する住宅利用支援アプリケーションを装備した利用者通信機能付き機器を利用した住宅利用支援方法であって、
前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは住宅利用支援アプリケーションデータ管理単位を開くためのオープン暗証コードと、前記住宅利用支援アプリケーションで開いた前記住宅利用支援アプリケーションファイルまたは住宅利用支援アプリケーションデータ管理単位を正常終了して閉じるためのクローズ暗証コードが設定された住宅利用支援アプリケーションファイルまたは住宅利用支援アプリケーションデータ管理単位を用い、
コード入力手段を介した前記オープン暗証コードの入力を受けて、前記住宅利用支援アプリケーションファイルまたは前記住宅利用支援アプリケーションデータ管理単位を開くアプリケーションファイル開錠を行い、
前記アプリケーションファイル開錠のあと、前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠を行うことを特徴とする住宅利用支援方法。
【請求項２５】
利用ログデータを復号化する復号化処理手順と、前記利用ログデータを暗号化する暗号処理手順を備え、
前記アプリケーションファイル開錠に伴い、前記利用ログデータを復号化する前記復号化処理手順を実行し、
前記アプリケーションファイル閉錠に伴い、前記利用ログデータを暗号化する前記暗号化処理手順を実行することを特徴とする請求項２４に記載の住宅利用支援方法。
【手続補正書】
【提出日】令和1年12月7日(2019.12.7)
【手続補正１】
【補正対象書類名】特許請求の範囲
【補正対象項目名】全文
【補正方法】変更
【補正の内容】
【特許請求の範囲】
【請求項１】
住宅に装備された諸機能の利用を支援する住宅利用支援アプリケーションと、
前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは前記住宅利用支援アプリケーションデータ管理単位を開くためのオープン暗証コードと、前記住宅利用支援アプリケーションで開いた前記住宅利用支援アプリケーションファイルまたは前記住宅利用支援アプリケーションデータ管理単位を正常終了して閉じるためのクローズ暗証コードが設定された住宅利用支援アプリケーションファイルまたは住宅利用支援アプリケーションデータ管理単位と、
利用者からのコード入力手段を介した前記オープン暗証コードの入力を受けて前記住宅利用支援アプリケーションファイルまたは前記住宅利用支援アプリケーションデータ管理単位を開くアプリケーションファイル開錠機能と、
前記利用者からの前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠機能を備えたことを特徴とする住宅利用支援システム。
【請求項２】
前記住宅に装備された諸機能が、コンピュータ制御が可能な機能であり、ドアロック開閉機能、防犯セキュリティ管理機能、動植物管理機能、車庫管理機能、宅配ボックス管理機能、蓄電装置管理機能、食料貯蔵庫管理機能、ガス電気水道管理機能、安否確認機能、バスユニット管理機能、トイレ付設健康管理機能、コンシェルジュ機能、人工知能アシスタント機能、照明空調システム制御機能、オーディオビジュアル機器制御機能、課金処理機能、各種センサによるセンシングデータ収集機能のいずれかまたはそれらの組み合わせを含むものである請求項１に記載の住宅利用支援システム。
【請求項３】
前記住宅利用支援アプリケーションが、
前記住宅に装備された前記諸機能に指示を与える住宅諸機能制御機能と、
前記住宅の利用に際して生じる利用ログデータを、前記住宅単位または前記住宅の利用者単位に分類、または未分類のまま収集する利用ログデータ収集機能と、
前記住宅利用支援アプリケーションファイルまたは前記住宅利用支援アプリケーションデータ管理単位に対して前記利用ログデータ収集機能により収集したデータの入出力を行うデータ入出力機能を備えたことを特徴とした請求項２に記載の住宅利用支援システム。
【請求項４】
前記クローズ暗証コードの入力を受けて、前記アプリケーションファイル閉錠機能が、前記住宅利用支援アプリケーションファイルまたは前記住宅利用支援アプリケーションデータ管理単位に前記利用ログデータ収集機能により収集した前記利用ログデータを確定して格納し、正常終了して閉じることを特徴とする請求項３に記載の住宅利用支援システム。
【請求項５】
前記住宅に装備された前記諸機能のうち、常時稼働しているもの、利用者の外出時に稼働するもの、前記利用者の居住時に稼働するものがあり、稼働中に前記利用ログデータ収集機能により収集した前記利用ログデータが前記住宅利用支援アプリケーションファイルまたは前記住宅利用支援アプリケーションデータ管理単位に格納されることを特徴とする請求項４に記載の住宅利用支援システム。
【請求項６】
前記住宅に装備された前記諸機能のうち、前記常時稼働にかかるものが前記蓄電装置管理機能、前記食料貯蔵庫管理機能、前記ガス電気水道管理機能、前記安否確認機能、前記各種センサによるセンシングデータ収集機能のいずれかまたはそれらの組み合わせを含むものであり、
前記住宅に装備された前記諸機能のうち、前記利用者の外出時に稼働するものが、前記ドアロック開閉機能、前記防犯セキュリティ管理機能、前記車庫管理機能、前記宅配ボックス管理機能のいずれかまたはそれらの組み合わせを含むものであり、
前記住宅に装備された前記諸機能のうち、前記利用者の居住時に稼働するものが、前記バスユニット管理機能、前記トイレ付設健康管理機能、前記コンシェルジュ機能、前記人工知能アシスタント機能、前記照明空調システム制御機能、前記オーディオビジュアル機器制御機能、前記課金処理機能のいずれかまたはそれらの組み合わせを含むものであることを特徴とする請求項５に記載の住宅利用支援システム。
【請求項７】
前記住宅利用支援アプリケーションファイルまたは前記住宅利用支援アプリケーションデータ管理単位が、居住時用のものと、外出時用のものがあり、
前記居住時用の住宅利用支援アプリケーションファイルまたは前記居住時用の住宅利用支援アプリケーションデータ管理単位の前記オープン暗証コードが、前記外出時用の住宅利用支援アプリケーションファイルまたは前記外出時用の住宅利用支援アプリケーションデータ管理単位のクローズ暗証コードであり、
前記居住時用の住宅利用支援アプリケーションファイルまたは前記居住時用の住宅利用支援アプリケーションデータ管理単位の前記クローズ暗証コードが、前記外出時用の住宅利用支援アプリケーションファイルまたは前記外出時用の住宅利用支援アプリケーションデータ管理単位のオープン暗証コードであり、
前記オープン暗証コードの入力により、居住時用に稼働する前記住宅利用支援アプリケーションファイルまたは前記住宅利用支援アプリケーションデータ管理単位が開き、前記外出時用の住宅利用支援アプリケーションファイルまたは前記外出時用の住宅利用支援アプリケーションデータ管理単位が正常終了して閉じることにより、稼働するものが入れ替わり、
前記クローズ暗証コードの入力により、居住時用に稼働する前記住宅利用支援アプリケーションファイルまたは前記住宅利用支援アプリケーションデータ管理単位が正常終了し、前記外出時用の住宅利用支援アプリケーションファイルまたは前記外出時用の住宅利用支援アプリケーションデータ管理単位が開くことにより、稼働するものが入れ替わることを特徴とする請求項５または６に記載の住宅利用支援システム。
【請求項８】
前記バスユニット管理機能、前記トイレ付設健康管理機能、前記コンシェルジュ機能、前記課金処理機能は、使用に際して、前記利用者を特定するＩＤ情報を入力することで前記利用者と当該機能が紐づいて稼働するものであることを特徴とする請求項５に記載の住宅利用支援システム。
【請求項９】
前記住宅の前記利用者が複数人いる場合、前記住宅利用支援アプリケーションファイルまたは前記住宅利用支援アプリケーションデータ管理単位が、前記住宅共用のものと、各々の前記利用者ごとのものがあり、前記住宅共用の前記利用ログデータ、各々の前記利用者ごとの前記利用ログデータがそれぞれ蓄積されるものであることを特徴とする請求項８に記載の住宅利用支援システム。
【請求項１０】
前記住宅諸機能制御機能が、前記住宅利用支援アプリケーションファイルまたは前記住宅利用支援アプリケーションデータ管理単位に入力されているデータに従って前記住宅諸機能の稼働状態をカスタマイズ設定できることを特徴とする請求項３に記載の住宅利用支援システム。
【請求項１１】
前記住宅のドアの開閉において、前記ドアの外側から施錠するものが前記クローズ暗証コードと対応し、前記ドアの外側から開錠するものが前記オープン暗証コードと対応し、前記ドアの内側から施錠するものは前記クローズ暗証コードとは対応せず、前記ドアの内側から開錠するものが前記オープン暗証コードと対応とは対応しないものであることを特徴とする請求項１から１０のいずれかに記載の住宅利用支援システム。
【請求項１２】
前記オープン暗証コードおよび前記クローズ暗証コードに加え、一時外出暗証コードおよび一時外出解除暗証コードが設けられており、
前記住宅利用支援アプリケーションがアプリケーションファイル一時外出−解除機能を備え、
前記住宅のドアの開閉において、前記一時外出暗証コードが入力された場合、前記アプリケーションファイル一時外出−解除機能が、前記住宅諸機能制御機能を介して、前記住宅に装備された前記諸機能のうち、前記常時稼働しているものおよび前記利用者の居住時に稼働していたものはそのまま維持し、前記利用者の外出時に稼働するものは稼働状態に切り替える運用とし、
前記一時外出解除暗証コードが入力された場合、前記アプリケーションファイル一時外出−解除機能が、前記住宅に装備された前記諸機能のうち、前記常時稼働しているものおよび前記利用者の居住時に稼働していたものはそのまま維持し、前記利用者の外出時に稼働するよう前記稼働状態に切り替えられたものはオフ状態とすることを特徴とする請求項５から９のいずれかに記載の住宅利用支援システム。
【請求項１３】
前記オープン暗証コードおよび前記クローズ暗証コードに加え、一時外出暗証コードおよび一時外出解除暗証コードが設けられており、
前記住宅利用支援アプリケーションがアプリケーションファイル一時外出−解除機能を備え、
前記住宅のドアの開閉において、前記一時外出暗証コードが入力された場合、前記アプリケーションファイル一時外出−解除機能が、前記住宅諸機能制御機能を介して、前記ドアロック開閉機能のみの稼働状態を変更するが、その他の前記諸機能の稼働状態を変更しない運用とすることを特徴とする請求項４から９のいずれかに記載の住宅利用支援システム。
【請求項１４】
前記住宅利用支援アプリケーション、および、前記住宅利用支援アプリケーションファイルまたは前記住宅利用支援アプリケーションデータ管理単位が、前記住宅内のコンピュータリソースに設けられており、前記コード入力手段が前記住宅の一部で外部からアクセス可能な箇所または前記利用者が保持する通信機能付き機器に設けられた構成であり、
前記利用者が外部から前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記住宅の前記諸機能への制御を開始させることを特徴とする請求項１から１３のいずれかに記載の住宅利用支援システム。
【請求項１５】
前記住宅利用支援アプリケーション、および、前記住宅利用支援アプリケーションファイルまたは前記住宅利用支援アプリケーションデータ管理単位が、前記住宅外のコンピュータリソースに設けられており、前記コード入力手段が前記住宅の一部で外部からアクセス可能な箇所または前記利用者が保持する通信機能付き機器に設けられた構成であり、それぞれがネットワークを介して前記住宅内の前記諸機能を制御できる構成であり、
前記利用者が外部から前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記住宅の前記諸機能への制御を開始させることを特徴とする請求項１から１３のいずれかに記載の住宅利用支援システム。
【請求項１６】
前記住宅利用支援アプリケーション、前記住宅利用支援アプリケーションファイルまたは前記住宅利用支援アプリケーションデータ管理単位、および、前記コード入力手段が前記利用者が保持する通信機能付き機器に設けられ、前記住宅内のコンピュータリソースに前記通信機能付き機器から送信された信号を受信する受信装置が装備された構成であり、
前記利用者が前記通信機能付き機器の前記コード入力手段に対してアクセスすることにより、前記住宅利用支援アプリケーションが自動的に起動され、さらに、前記利用者が前記オープン暗証コードを入力することにより、前記住宅利用支援アプリケーションファイルまたは前記住宅利用支援アプリケーションデータ管理単位が開くとともに、前記受信装置を介した通信により、前記住宅の前記諸機能への制御を開始させることを特徴とする請求項１から１３のいずれかに記載の住宅利用支援システム。
【請求項１７】
前記課金処理機能が連動する外部のシステムが、前記人工知能アシスタント機能を介して取引した宅配商品の料金収受システム、定期購買商品の料金収受システム、家賃の料金収受システム、不動産付属の共有設備利用の料金収受システム、公共料金の料金収受システム、コンテンツデータ利用料金収受システムのいずれかまたはそれらの組み合わせを含むシステムであることを特徴とする請求項４から９に記載の住宅利用支援システム。
【請求項１８】
前記利用者が保持する通信機能付き機器に、前記住宅利用支援アプリケーションに対する遠隔操作アプリケーションを備え、
前記住宅利用支援アプリケーションが、
前記ドアロック開閉機能が作動状態になった場合に、前記遠隔操作アプリケーションに対して、前記ドアロック開閉機能以外の前記諸機能を実行させても良いか否かの承認情報の送信をリクエストするリクエスト情報を発信するリクエスト情報発信機能と、
前記遠隔操作アプリケーションから送信された前記承認情報を受けるまでは前記ドアロック開閉機能以外の前記諸機能の実行をロックする住宅諸機能ロック機能と、
前記遠隔操作アプリケーションから送信される前記承認情報を受けると前記ドアロック開閉機能以外の前記諸機能の実行をアンロックする住宅諸機能アンロック機能を備え、
前記利用者が前記遠隔操作アプリケーションを介して、前記住宅利用支援アプリケーションの前記リクエスト情報発信機能の設定および解除が可能である請求項２から１０、１２、１３または１７のいずれかに記載の住宅利用支援システム。
【請求項１９】
前記住宅利用支援アプリケーションで利用される各々の前記住宅利用支援アプリケーションファイルまたは前記住宅利用支援アプリケーションデータ管理単位が前記利用者別の個人単位に個人フォルダまたは個人別データ管理単位にまとめられており、
前記住宅利用支援アプリケーションで利用される各々の前記個人フォルダまたは前記個人別データ管理単位に、前記住宅利用支援アプリケーションで前記個人フォルダまたは前記個人別データ管理単位を開くための個人フォルダオープン暗証コードまたは個人別データ管理単位オープン暗証コードと、前記住宅利用支援システムで開いた前記個人フォルダまたは前記個人別データ管理単位を閉じるための個人フォルダクローズ暗証コードまたは個人別データ管理単位が設定されたものであることを特徴とする請求項１から１８のいずれかに記載の住宅利用支援システム。
【請求項２０】
前記オープン暗証コードおよび前記クローズ暗証コードが、あらかじめ登録された前記利用者の生体情報であることを特徴とする請求項１から１９のいずれかに記載の住宅利用支援システム。
【請求項２１】
前記生体情報が指紋パターンであり、前記指紋パターンの入力データとして、指紋読み取り部を用いて入力した該当する指の指紋パターンの画像データと、前記指紋読み取り部に対する前記指のスキャン方向を示すスキャン方向データが含まれていることを特徴とする請求項２０に記載の住宅利用支援システム。
【請求項２２】
前記住宅が、マンションの各住戸、大規模タワーマンションの各住戸、戸建て住宅、アパート集合住宅、オフィスビルの各部屋、ログハウス、組立家屋、シェアハウス、ホテル、旅館、レンタルルームのいずれかまたはそれらの利用区画を含むものである請求項１から２１のいずれかに記載の住宅利用支援システム。
【請求項２３】
前記利用ログデータを暗号化する暗号処理部を備え、
前記データ入出力機能が、前記暗号処理部により暗号化された前記利用ログデータを入出力することを特徴とする請求項３から１０、１２、１３または１７のいずれかに記載の住宅利用支援システム。
【請求項２４】
住宅の機能の利用を支援する住宅利用支援アプリケーションを装備した利用者通信機能付き機器を利用した住宅利用支援方法であって、
前記住宅利用支援アプリケーションで利用される個々の住宅利用支援アプリケーションファイルまたは住宅利用支援アプリケーションデータ管理単位であって、前記住宅利用支援アプリケーションで前記住宅利用支援アプリケーションファイルまたは住宅利用支援アプリケーションデータ管理単位を開くためのオープン暗証コードと、前記住宅利用支援アプリケーションで開いた前記住宅利用支援アプリケーションファイルまたは住宅利用支援アプリケーションデータ管理単位を正常終了して閉じるためのクローズ暗証コードが設定された住宅利用支援アプリケーションファイルまたは住宅利用支援アプリケーションデータ管理単位を用い、
コード入力手段を介した前記オープン暗証コードの入力を受けて、前記住宅利用支援アプリケーションファイルまたは前記住宅利用支援アプリケーションデータ管理単位を開くアプリケーションファイル開錠を行い、
前記アプリケーションファイル開錠のあと、前記コード入力手段を介した前記クローズ暗証コードの入力を受けて、開いている状態の前記住宅利用支援アプリケーションファイルまたは前記住宅利用支援アプリケーションデータ管理単位を正常終了して閉じるアプリケーションファイル閉錠を行うことを特徴とする住宅利用支援方法。
【請求項２５】
利用ログデータを復号化する復号化処理手順と、前記利用ログデータを暗号化する暗号化処理手順を備え、
前記アプリケーションファイル開錠に伴い、前記利用ログデータを復号化する前記復号化処理手順を実行し、
前記アプリケーションファイル閉錠に伴い、前記利用ログデータを暗号化する前記暗号化処理手順を実行することを特徴とする請求項２４に記載の住宅利用支援方法。
【国際調査報告】
2020049749.tif 000027
2020049749.tif 000028
2020049749.tif 000029